(57)【要約】【課題】光ディスクに対する情報記録及び当該光ディスクからの情報再生を短時間で完了できるようにする。【解決手段】光ディスク１００に形成された反射透過膜１０４において螺旋状に形成されたガイドトラックＴｇに対し、赤色光ビームＬｒ１を合焦させるよう対物レンズ４０を駆動し、リレーレンズ５６、６６、７６、８６及び９６によって青色光ビームＬｂｉの収束状態を変化させることにより、赤色光ビームＬｒ１の赤色光焦点Ｆｒから５本の青色光ビームＦｂの焦点である青色光焦点Ｆｂを任意の距離だけ離隔させ、５つの青色光焦点Ｆｂを当該青色光ビームＦｂが照射されるべき目標深さに合わせ、ガイドトラックＴｇに対応して５本想定されている仮想トラックである記録トラックＴｗに５つの青色光焦点Ｆｂをそれぞれ位置させることにより、５本の青色光ビームＬｂに基づく５の記録マークＲＭをガイドトラックＴｇに沿って形成させるようにする。【選択図】図５
2008305509.tif 000002
【特許請求の範囲】
【請求項１】
記録すべき情報に基づいて複数でなる所定数の記録光及び当該記録光の位置制御に使用される位置制御光を集光し、ディスク状でなる光情報記録媒体に対して照射する対物レンズと、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動部と、
上記所定数の記録光の収束状態を変化させることにより、上記対物レンズが上記光情報記録媒体に対して近接及び離隔する深さ方向に、上記位置制御光の焦点から上記所定数の記録光の焦点を任意の距離だけ離隔させ、上記所定数の記録光の焦点を当該記録光が照射されるべき目標深さに合わせる焦点移動部と、
上記ガイドトラックに対応して上記所定数だけ想定されている仮想トラックに上記所定数の記録光の焦点をそれぞれ位置させることにより、上記所定数の記録光に基づく上記所定数の記録マークを上記ガイドトラックに沿って形成させる焦点位置設定部と
を具えることを特徴とする光情報記録装置。
【請求項２】
上記焦点位置設定部は、
上記所定数の記録光の光軸を互いに傾斜させることにより、上記所定数の仮想トラックに上記所定数の記録光の焦点をそれぞれ位置させる
ことを特徴とする請求項１に記載の光情報記録装置。
【請求項３】
上記所定数の記録光を出射する所定数の光源
を具え、
上記焦点位置設定部は、
上記所定数の光源から発射されるときにおける上記所定数の記録光の光軸を互いに傾斜させる
ことを特徴とする請求項２に記載の光情報記録装置。
【請求項４】
光を出射する光源と、
上記光を上記所定数の記録光に分離する分離部と、
記録すべき情報に基づいて上記所定数の記録光を上記記録すべき情報に応じてそれぞれ変調する変調部と
を具えることを特徴とする請求項１に記載の光情報記録装置。
【請求項５】
上記位置制御光を透過させる一方、上記記録光を所定の割合で透過及び反射、又は当該記録光の殆ど全てを反射させることにより、上記所定数の記録光及び位置制御光を合成して上記対物レンズに入射する所定数のダイクロイックプリズム
を具えることを特徴とする請求項１に記載の光情報記録装置。
【請求項６】
上記位置制御光を反射させる一方、上記記録光を所定の割合で透過及び反射、又は当該記録光の殆ど全てを透過させることにより、上記所定数の記録光及び位置制御光を合成して上記対物レンズに入射する所定数のダイクロイックプリズム
を具えることを特徴とする請求項１に記載の光情報記録装置。
【請求項７】
上記所定数のダイクロイックプリズムは、
上記対物レンズに入射するときにおける上記所定数の記録光の光強度がほぼ均等になるように上記割合が選定されている
ことを特徴とする請求項５に記載の光情報記録装置。
【請求項８】
上記対物レンズは、
互いの位置関係が固定された複数の対物レンズからなる
ことを特徴とする請求項１に記載の光情報記録装置。
【請求項９】
記録すべき情報に基づく所定数の記録光を所定数の第１及び第２の記録光にそれぞれ分離する分離部と、
上記所定数の第１及び第２の記録光並びに当該第１の記録光の位置制御に使用される位置制御光を集光し、ディスク状でなる光情報記録媒体に対して照射する対物レンズと、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動部と、
上記所定数の第１の及び第２の記録光の収束状態を変化させることにより、上記対物レンズが上記光情報記録媒体に対して近接及び離隔する深さ方向に、上記位置制御光の焦点から上記所定数の第１及び第２の記録光の焦点をそれぞれ任意の距離だけ離隔させ、上記所定数の第１及び第２の記録光の焦点を当該記録光が照射されるべき目標深さで互いに反対方向から重ね合わせる焦点移動部と、
上記ガイドトラックに対応して上記所定数だけ想定されている仮想トラックに上記所定数の第１及び第２の記録光の焦点をそれぞれ位置させることにより、上記所定数の第１及び第２の記録光に基づくホログラムでなる上記所定数の記録マークを上記ガイドトラックに沿って形成させる焦点位置設定部と
を具えることを特徴とする光情報記録装置。
【請求項１０】
上記対物レンズは、
上記第１の記録光を上記光情報記録媒体に対して照射する第１の対物レンズと、上記光情報記録媒体において上記第１の記録光が照射される面とは反対の面から、上記光情報記録媒体に対して上記第２の記録光を照射する第２の対物レンズとを有する
ことを特徴とする請求項９に記載の光情報記録装置。
【請求項１１】
上記光情報記録媒体は、予め一様なホログラムが形成され、
上記所定数の記録光により上記情報を記録する際、上記記録すべき情報に基づいて上記所定数の記録光の光強度をそれぞれ制御することにより、上記ホログラムが局所的に破壊されてなる上記記録マークを形成させる記録制御部
を具えることを特徴とする請求項１に記載の光情報記録装置。
【請求項１２】
上記光情報記録媒体は、一様に所定の反射率を有し、
上記所定数の記録光により上記情報を記録する際、上記記録すべき情報に基づいて上記所定数の記録光の光強度をそれぞれ制御することにより、上記光情報記録媒体の局所的な変質によって上記反射率が変化されてなる上記記録マークを形成させる記録制御部
を具えることを特徴とする請求項１に記載の光情報記録装置。
【請求項１３】
記録すべき情報に基づく所定数の記録光及び位置制御用に使用される位置制御光をディスク状でなる光情報記録媒体に対して照射して情報を表す記録マークを形成する光情報記録方法において、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動ステップと、
上記所定数の記録光の収束状態を変化させることにより、上記対物レンズが上記光情報記録媒体に対して近接及び離隔する深さ方向に、上記位置制御光の焦点から上記所定数の記録光の焦点を任意の距離だけ離隔させ、上記所定数の記録光の焦点を当該記録光が照射されるべき目標深さに合わせる焦点移動ステップと、
上記ガイドトラックに対応して上記所定数だけ想定されている仮想トラックに上記所定数の記録光の焦点をそれぞれ位置させることにより、上記所定数の記録光に基づく上記所定数の記録マークを上記ガイドトラックに沿って形成させる焦点位置設定ステップと
を具えることを特徴とする光情報記録方法。
【請求項１４】
所定数の読出光及び当該読出光の位置制御に使用される位置制御光をディスク状でなる光情報記録媒体に対して照射する対物レンズと、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動部と、
上記所定数の読出光の収束状態を変化させることにより、上記対物レンズが上記光情報記録媒体に対して近接及び離隔する深さ方向に、上記位置制御光の焦点から上記所定数の読出光の焦点を任意の距離だけ離隔させ、上記所定数の読出光の焦点を当該読出光が照射されるべき目標深さに合わせる深さ方向焦点移動部と、
上記ガイドトラックに対応して上記所定数だけ想定されている仮想トラックに上記所定数の読出光の焦点をそれぞれ位置させる焦点位置設定部と、
上記所定数の読出光が上記光情報記録媒体によって反射されてなる上記所定数の反射光をそれぞれ検出する検出部と
を具えることを特徴とする光情報再生装置。
【請求項１５】
上記焦点位置設定部は、
上記所定数の記録光の光軸を互いに傾斜させることにより、上記所定数の記録光の焦点を上記仮想トラックに位置させる
ことを特徴とする請求項１４に記載の光情報再生装置。
【請求項１６】
上記検出部は、
上記所定数の反射光が混合された混合反射光を収束させ、上記所定数の反射光のうち、対応する一の反射光の光軸が通過する位置に設けられたピンホールにより上記一の反射光を選別して検出する
を具えることを特徴とする請求項１４に記載の光情報再生装置。
【請求項１７】
上記対物レンズは、
互いの位置関係が固定された複数の対物レンズからなる
ことを特徴とする請求項１４に記載の光情報再生装置。
【請求項１８】
上記対物レンズは、
上記所定数は二であり、
上記二の読出光における偏光方向の差異を利用して当該二の読出光に基づく二の反射光を分離して上記検出部にそれぞれ検出させる反射光分離部
を具えることを特徴とする請求項１４に記載の光情報再生装置。
【請求項１９】
上記光情報記録媒体は、一様に所定の反射率を有すると共に当該光情報記録媒体が局所的に変質され上記反射率が変化されることにより上記記録マークが形成され、
上記検出部は、
上記反射率の変化に伴い変化する上記所定数の反射光をそれぞれ検出する
ことを特徴とする請求項１４に記載の光情報再生装置。
【請求項２０】
所定数の読出光及び当該読出光の位置制御に使用される位置制御光を集光し、ディスク状でなる光情報記録媒体に対して照射する光情報再生方法において、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動ステップと、
上記所定数の読出光の収束状態を変化させることにより、上記対物レンズが上記光情報記録媒体に対して近接及び離隔する深さ方向に、上記位置制御光の焦点から上記所定数の読出光の焦点を任意の距離だけ離隔させ、上記所定数の読出光の焦点を当該読出光が照射されるべき目標深さに合わせる深さ方向焦点移動ステップと、
上記ガイドトラックに対応して上記所定数だけ想定されている仮想トラックに上記所定数の読出光の焦点をそれぞれ位置させる焦点位置設定ステップと、
上記所定数の読出光が上記光情報記録媒体によって反射されてなる上記所定数の反射光をそれぞれ検出する上記所定数の検出ステップと
を具えることを特徴とする光情報再生方法。
【請求項２１】
所定の強度以上でなる記録光の照射に応じて記録マークを形成する記録層と、
上記記録マークの位置制御のための位置制御光の少なくとも一部を反射し、上記記録マークが記録されると想定される複数の仮想トラックごとに、上記位置制御光が照射されるガイドトラックが螺旋状に形成されている
を具えることを特徴とする光情報記録媒体。
【請求項２２】
上記記録層は、
予め一様なホログラムが形成されており、
上記記録光により上記情報を記録する際、上記ホログラムが局所的に破壊されることにより、上記記録マークを形成する
ことを特徴とする請求項２１に記載の光情報記録媒体。
【請求項２３】
上記記録層は、
一様に所定の反射率を有し、
上記記録光により上記情報を記録する際、局所的に変質して上記反射率が変化することにより、上記記録マークを形成する
ことを特徴とする請求項２１に記載の光情報記録媒体。
【請求項２４】
上記記録層は、
一様に所定の反射率を有し、
上記記録光により上記情報を記録する際、上記記録光としての第１及び第２の記録光による定在波によって形成されるホログラムでなる記録マークを形成する
ことを特徴とする請求項２１に記載の光情報記録媒体。
【請求項２５】
上記ガイドトラックに沿って、所定数の記録マークが螺旋状に形成されている
ことを特徴とする請求項２１に記載の光情報記録媒体。
【発明の詳細な説明】
【技術分野】
【０００１】
光情報記録装置、光情報記録方法、光情報再生装置、光情報再生方法及び光情報記録媒体に関し、例えば光情報記録媒体としての光ディスクにホログラムを記録し、また再生する光ディスク装置に適用して好適なものである。
【背景技術】
【０００２】
従来、光情報記録再生装置としては、円盤状の光ディスクを情報記録媒体として用いる光ディスク装置が広く普及しており、情報記録媒体としては、一般にＣＤ（Compact Disc）、ＤＶＤ（Digital Versatile Disc）及びＢｌｕ−ｒａｙ  Ｄｉｓｃ（登録商標、以下ＢＤと呼ぶ）等が用いられている。
【０００３】
かかる光ディスク装置では、音楽コンテンツや映像コンテンツ等の各種コンテンツ、或いはコンピュータ用の各種データ等のような種々の情報を光ディスクに記録するようになされている。特に近年では、映像の高精細化や音楽の高音質化等により情報量が増大し、また１枚の光ディスクに記録するコンテンツ数の増加が要求されているため、当該光ディスクのさらなる大容量化が求められている。
【０００４】
そこで、光ディスクを大容量化する手法の一つとして、２系統の光ビームを干渉させて記録媒体内に微小なホログラムを形成することにより、情報を記録するようになされたものが提案されている（例えば、特許文献１参照）。
【特許文献１】特開２００６−７８８３４公報（第１図）
【発明の開示】
【発明が解決しようとする課題】
【０００５】
しかしながらかかる構成の光ディスク装置は、回転され振動する光ディスクに対して、情報を記録したい箇所に２種類の光ビームの焦点を合わせるといった高度な制御が必要となり、どうしてもその構成が複雑になってしまう。
【０００６】
また近年では、光ディスクに記録する情報量を増加させるのみでなく、その記録速度や再生速度を向上させることにより記録や再生に要する時間を短縮したいといった要望がある。
【０００７】
この場合、光ディスク装置は、光ディスクの回転速度を上昇させ、又は記録マークの記録時間を短縮することが考えられる。
【０００８】
しかしながら光ディスク装置は、光ディスク自体の強度やスピンドルモータの性能、或いはブレ等の観点から、回転速度の上昇には限界があり、また記録マークを形成する際の物理的・化学的反応にある程度の時間を要することから、自ずと記録速度や再生速度の上限が定められてしまう。
【０００９】
このため光ディスク装置は、記録や再生に要する時間を短縮することが困難であるという問題があった。
【００１０】
本発明は以上の点を考慮してなされたもので、光情報記録媒体に対する情報記録及び当該光情報記録媒体からの情報再生を短時間で完了し得る光情報記録装置、光情報記録方法、光情報再生装置及び光情報再生方法、並びにこれらに使用される光情報記録媒体を提案しようとするものである。
【課題を解決するための手段】
【００１１】
かかる課題を解決するため本発明の光情報記録装置においては、記録すべき情報に基づいて複数でなる所定数の記録光及び当該記録光の位置制御に使用される位置制御光を集光し、ディスク状でなる光情報記録媒体に対して照射する対物レンズと、光情報記録媒体に形成され位置制御光の少なくとも一部を反射させる反射層において螺旋状に形成されたガイドトラックに対し、位置制御光を合焦させるよう対物レンズを駆動する対物レンズ駆動部と、所定数の記録光の収束状態を変化させることにより、対物レンズが光情報記録媒体に対して近接及び離隔する深さ方向に、位置制御光の焦点から所定数の記録光の焦点を任意の距離だけ離隔させ、所定数の記録光の焦点を当該記録光が照射されるべき目標深さに合わせる焦点移動部と、ガイドトラックに対応して所定数だけ想定されている仮想トラックに所定数の記録光の焦点をそれぞれ位置させることにより、所定数の記録光に基づく所定数の記録マークをガイドトラックに沿って形成させる焦点位置設定部とを設けるようにした。
【００１２】
これにより、対物レンズを一つのガイドトラックに合わせて位置制御するだけで同時に所定数の記録マークを形成することができる。
【００１３】
また本発明の情報記録方法においては、記録すべき情報に基づく所定数の記録光及び位置制御用に使用される位置制御光をディスク状でなる光情報記録媒体に対して照射して情報を表す記録マークを形成する際、光情報記録媒体に形成され位置制御光の少なくとも一部を反射させる反射層において螺旋状に形成されたガイドトラックに対し、位置制御光を合焦させるよう対物レンズを駆動する対物レンズ駆動ステップと、所定数の記録光の収束状態を変化させることにより、対物レンズが光情報記録媒体に対して近接及び離隔する深さ方向に、位置制御光の焦点から所定数の記録光の焦点を任意の距離だけ離隔させ、所定数の記録光の焦点を当該記録光が照射されるべき目標深さに合わせる焦点移動ステップと、ガイドトラックに対応して所定数だけ想定されている仮想トラックに所定数の記録光の焦点をそれぞれ位置させることにより、所定数の記録光に基づく所定数の記録マークをガイドトラックに沿って形成させる焦点位置設定ステップとを設けるようにした。
【００１４】
これにより、対物レンズを一つのガイドトラックに合わせて位置制御するだけで同時に所定数の記録マークを形成することができる。
【００１５】
また本発明の光情報記録装置においては、記録すべき情報に基づく所定数の記録光を所定数の第１及び第２の記録光にそれぞれ分離する分離部と、所定数の第１及び第２の記録光並びに当該第１の記録光の位置制御に使用される位置制御光を集光し、ディスク状でなる光情報記録媒体に対して照射する対物レンズと、光情報記録媒体に形成され位置制御光の少なくとも一部を反射させる反射層において螺旋状に形成されたガイドトラックに対し、位置制御光を合焦させるよう対物レンズを駆動する対物レンズ駆動部と、所定数の第１の及び第２の記録光の収束状態を変化させることにより、対物レンズが光情報記録媒体に対して近接及び離隔する深さ方向に、位置制御光の焦点から所定数の第１及び第２の記録光の焦点をそれぞれ任意の距離だけ離隔させ、所定数の第１及び第２の記録光の焦点を当該記録光が照射されるべき目標深さで互いに反対方向から重ね合わせる焦点移動部と、ガイドトラックに対応して所定数だけ想定されている仮想トラックに所定数の第１及び第２の記録光の焦点をそれぞれ位置させることにより、所定数の第１及び第２の記録光に基づくホログラムでなる所定数の記録マークをガイドトラックに沿って形成させる焦点位置設定部とを設けるようにした。
【００１６】
これにより、対物レンズを一つのガイドトラックに合わせて位置制御するだけで同時に所定数の記録マークを形成することができる。
【００１７】
さらに本発明の光情報再生装置においては、所定数の読出光及び当該読出光の位置制御に使用される位置制御光をディスク状でなる光情報記録媒体に対して照射する対物レンズと、光情報記録媒体に形成され位置制御光の少なくとも一部を反射させる反射層において螺旋状に形成されたガイドトラックに対し、位置制御光を合焦させるよう対物レンズを駆動する対物レンズ駆動部と、所定数の読出光の収束状態を変化させることにより、対物レンズが光情報記録媒体に対して近接及び離隔する深さ方向に、位置制御光の焦点から所定数の読出光の焦点を任意の距離だけ離隔させ、所定数の読出光の焦点を当該読出光が照射されるべき目標深さに合わせる深さ方向焦点移動部と、ガイドトラックに対応して所定数だけ想定されている仮想トラックに所定数の読出光の焦点をそれぞれ位置させる焦点位置設定部と、所定数の読出光が光情報記録媒体によって反射されてなる所定数の反射光をそれぞれ検出する検出部とを設けるようにした。
【００１８】
これにより、対物レンズを一つのガイドトラックに合わせて位置制御するだけで同時に所定数の記録マークの有無を検出することができる。
【００１９】
さらに本発明の光情報再生方法においては、所定数の読出光及び当該読出光の位置制御に使用される位置制御光を集光し、ディスク状でなる光情報記録媒体に対して照射する際、光情報記録媒体に形成され位置制御光の少なくとも一部を反射させる反射層において螺旋状に形成されたガイドトラックに対し、位置制御光を合焦させるよう対物レンズを駆動する対物レンズ駆動ステップと、所定数の読出光の収束状態を変化させることにより、対物レンズが光情報記録媒体に対して近接及び離隔する深さ方向に、位置制御光の焦点から所定数の読出光の焦点を任意の距離だけ離隔させ、所定数の読出光の焦点を当該読出光が照射されるべき目標深さに合わせる深さ方向焦点移動ステップと、ガイドトラックに対応して所定数だけ想定されている仮想トラックに所定数の読出光の焦点をそれぞれ位置させる焦点位置設定ステップと、所定数の読出光が光情報記録媒体によって反射されてなる所定数の反射光をそれぞれ検出する所定数の検出ステップとを設けるようにした。
【００２０】
これにより、対物レンズを一つのガイドトラックに合わせて位置制御するだけで同時に所定数の記録マークの有無を検出することができる。
【００２１】
さらに本発明の光情報記録媒体においては、所定の強度以上でなる記録光の照射に応じて記録マークを形成する記録層と、記録マークの位置制御のための位置制御光の少なくとも一部を反射し、記録マークが記録されると想定される複数の仮想トラックごとに、位置制御光が照射されるガイドトラックが螺旋状に形成されているようにした。
【００２２】
これにより、対物レンズを一つのガイドトラックに合わせて位置制御させることにより同時に所定数の記録マークに対して光を照射させることができる。
【発明の効果】
【００２３】
本発明によれば、対物レンズを一つのガイドトラックに合わせて位置制御するだけで同時に所定数の記録マークを形成することができ、かくして記録に要する時間を短縮できる光情報記録装置及び光情報記録方法を実現できる。
【００２４】
また本発明によれば、対物レンズを一つのガイドトラックに合わせて位置制御するだけで同時に所定数の記録マークの有無を検出することができ、かくして再生に要する時間を短縮できる光情報再生装置及び光情報再生方法を実現できる。
【００２５】
さらに本発明によれば、対物レンズを一つのガイドトラックに合わせて位置制御させることにより同時に所定数の記録マークに対して光を照射させることができ、かくして記録又は再生に要する時間を短縮させ得る光情報記録媒体を実現できる。
【発明を実施するための最良の形態】
【００２６】
以下、図面について、本発明の一実施の形態を詳述する。
【００２７】
（１）第１の実施の形態
（１−１）光ディスクの構成
（１−１−１）光ディスクの層構造
まず、本発明において光情報記録媒体として用いられる光ディスク１００について説明する。図１に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００２８】
また光ディスク１００は、図２に断面図を示すように、情報を記録するための記録層１０１を中心に有しており、基板１０２及び１０３により当該記録層１０１を両面から挟むように構成されている。
【００２９】
因みに記録層１０１の厚さｔ１は約０．３［ｍｍ］、基板１０２及び１０３の厚さｔ２及びｔ３はいずれも約０．６［ｍｍ］となるようになされている。
【００３０】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。なお基板１０２及び１０３の表面については、無反射コーティングにより不要な反射が防止されるようになされていても良い。
【００３１】
また光ディスク１００は、記録層１０１と基板１０２との境界面に反射層としての反射透過膜１０４を有している。反射透過膜１０４は、波長選択性を有する誘電体多層膜等でなり、波長４０５［ｎｍ］の青色レーザ光でなる青色光ビームＬｂｉを透過させる一方、波長６６０[ｎｍ]の赤色レーザ光でなる赤色光ビームＬｒ１を反射する。
【００３２】
また反射透過膜１０４は、トラッキングサーボ用の案内溝を形成し、具体的には、一般的なＢＤ−Ｒ（Recordable）ディスク等と同様の凹凸形状でなるランド及びグルーブにより螺旋状のガイドトラックＴｇを形成している。このサーボ用トラックには、所定の記録単位ごとに一連の番号でなるアドレスが付されており、情報を記録又は再生するトラックを当該アドレスにより特定し得るようになされている。
【００３３】
なお反射透過膜１０４（すなわち記録層１０１と基板１０２との境界面）には、案内溝に代えてピット等が形成され、或いは案内溝とピット等とが組み合わされていても良い。
【００３４】
この反射透過膜１０４は、基板１０２側から赤色光ビームＬｒ１が照射された場合、これを当該基板１０２側へ反射する。以下、このとき反射された光ビームを赤色光ビームＬｒ２と呼ぶ。
【００３５】
この赤色光ビームＬｒ２は、例えば光ディスク装置において、目標とするガイドトラックＴｇ（以下目標ガイドトラックＴｇｔと呼ぶ）に対して、所定の対物レンズＯＬにより集光された赤色光ビームＬｒ１の赤色光焦点Ｆｒを合わせるため、対物レンズＯＬの位置制御（すなわちフォーカス制御及びトラッキング制御）に用いられることが想定されている。
【００３６】
図２に示したように、位置制御された対物レンズＯＬにより赤色光ビームＬｒ１が集光され、反射透過膜１０４の目標ガイドトラックＴｇｔに合焦される。従って、当該赤色光ビームＬｒ１と青色光ビームＬｂｉの光軸を重ねることにより目標ガイドトラックＴｇｔに対応する位置に青色光ビームＬｂｉを移動させることができ、さらに反射透過膜１０４を基準とした所定の深さｄだけ青色光焦点Ｆｂを離隔させることにより、青色光ビームＬｂｉを記録層１０１内における所望の位置に照射することができる。
【００３７】
実際上、当該赤色光ビームＬｒ１と共に当該対物レンズＯＬにより集光され青色光ビームＬｂｉが、基板１０２を透過し、記録層１０１内に記録マークＲＭが記録されるべきトラックとして想定されている仮想の記録トラックＴｗのうち、当該目標ガイドトラックＴｇｔに対応する目標記録トラックＴｗｔに照射される。このとき青色光ビームＬｂｉの青色光焦点Ｆｂは、対物レンズＯＬを基準として、赤色光ビームＬｒの光軸Ｌｘｒ上における赤色光焦点Ｆｒよりも遠く、すなわち「裏側」に位置することになる。
【００３８】
このとき記録層１０１内には、青色光ビームＬｂｉが記録処理時に使用される記録用青色光ビームＬｂｉＷである場合には、当該記録用青色光ビームＬｂｉＷが集光されて所定強度以上となった部分（すなわち青色光焦点Ｆｂ周辺）に記録マークＲＭが形成される。例えば、青色光ビームＬｂｉＷの波長λが４０５［ｎｍ］、対物レンズＯＬの開口数ＮＡが０．５、当該対物レンズＯＬの屈折率ｎが１．５である場合には、直径ＲＭｒ＝１［μｍ］、高さＲＭｈ＝１０［μｍ］程度の記録マークＲＭが形成される。
【００３９】
さらに光ディスク１００は、記録層１０１の厚さｔ１（＝０．３［ｍｍ］）が記録マークＲＭの高さＲＭｈよりも充分に大きくなるよう設計されている。このため光ディスク１００は、記録層１０１内における記録反射透過膜１０４からの距離（以下、これを深さと呼ぶ）が切り換えられながら記録マークＲＭが記録されることにより、図３（Ａ）及び（Ｂ）に示すように、複数のマーク記録層を当該光ディスク１００の厚さ方向に重ねた多層記録を行い得るようになされている。
【００４０】
この場合、光ディスク１００の記録層１０１内において、記録用青色光ビームＬｂｉＷの青色光焦点Ｆｂの深さが調整されることにより、記録マークＲＭの深さが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層を形成することができる。なお距離ｐ３については、約１５［μｍ］とする以外にも、記録マークＲＭ同士の相互干渉等を考慮した上で他の種々の値としても良い。
【００４１】
一方、光ディスク１００は、情報が再生されるとき、当該情報を記録したときと同様に、対物レンズＯＬ１により集光された赤色光ビームＬｒ１が反射透過膜１０４の目標ガイドトラックＴｇｔに合焦されるよう、当該対物レンズＯＬが位置制御されるようになされている。
【００４２】
さらに光ディスク１００は、同一の対物レンズＯＬを介して集光される読出用青色光ビームＬｂｉＲの青色光焦点Ｆｂが、記録層１０１内における当該目標ガイドトラックＴｇｔの「裏側」に相当する仮想の記録トラックＴｗに、かつ目標深さとなる目標マーク位置に合焦されるようになされている。
【００４３】
このとき青色光焦点Ｆｂの位置に記録されている記録マークＲＭは、周囲との屈折率の相違により読出用青色光ビームＬｂｉＲを反射させ、当該目標マーク位置に記録されている記録マークＲＭから、青色光ビームＬｂｔを発生する。
【００４４】
このように光ディスク１００は、情報が記録される場合、位置制御用の赤色光ビームＬｒ１、記録用青色光ビームＬｂｉＷが用いられることにより、記録層１０１内において青色光焦点Ｆｂが照射される位置、すなわち反射透過膜１０４における目標ガイドトラックＴｇｔの裏側となり且つ目標深さとなる目標マーク位置に、当該情報として記録マークＲＭが形成されるようになされている。
【００４５】
また光ディスク１００は、記録済みの情報が再生される場合、位置制御用の赤色光ビームＬｒ１及び読出用の青色光ビームＬｂｉＲが用いられることにより、青色光焦点Ｆｂの位置、すなわち目標マーク位置に記録されている記録マークＲＭから、青色光ビームＬｂｔを発生させるようになされている。
【００４６】
（１−１−２）ガイドトラックの構造
次に、反射透過膜１０４に形成されているガイドトラックＴｇの構造について説明する。
【００４７】
図４に示すように、光ディスク１００では、記録層１０１において５本の青色光ビームＬｂｉ（Ｌｂｉ１〜Ｌｂｉ５）の青色光焦点（Ｆｂ１〜Ｆｂ５）がトラッキング方向に一直線上になるように並列に照射され、５本の記録トラックＴｗでなる記録トラック束ＴｗＢ上に、同時に５つの記録マークＲＭ（ＲＭ１〜ＲＭ５）が記録されることが想定されている。
【００４８】
この５本の青色光ビームＬｂｉ１〜Ｌｂｉ５は、同一の対物レンズＯＬ（図示しない）を介して照射されるため、当該対物レンズＯＬの移動などに伴い５本の青色光ビームＬｂｉ１〜Ｌｂｉ５が一体となって移動し、一本の赤色光ビームＬｒ１のみに基づいて当該対物レンズＯＬがサーボ制御されるようになされている。
【００４９】
ここで光ディスク１００では、記録トラック束ＴｗＢに対応して一つのガイドトラックＴｇが形成されている。従ってガイドトラックＴｇのガイドトラックピッチＰｇは、この記録トラックＴｗの記録トラックピッチＰｗの５倍以上に形成される。例えば記録トラックピッチＰｗが約０．５[μｍ]である場合、ガイドトラックピッチＰｇは３．０[μｍ]程度に形成される。
【００５０】
またガイドトラックＴｇのトラック中心Ｃｔｇと、当該記録トラック束ＴｗＢにおける中心Ｃｔｗとがトラッキング方向に重なるように形成されており、反射透過膜１０４における記録トラック束Ｔｗの中心Ｃｔｗに相当する位置に赤色光ビームＬｒが照射されるようになされている。
【００５１】
そして図５に示すように、光ディスク１００は、螺旋状に形成されたガイドトラックＴｇに基づいて５本の青色光ビームＬｂｉが照射されることにより、記録トラック束ＴｗＢ上に５つの記録マークＲＭをそれぞれ形成させ得るようになされている。
【００５２】
このように光ディスク１００では、５本の記録トラックＴｗに対応する一のガイドトラックＴｇを螺旋状に形成することにより、当該ガイドトラックＴｇに沿って５つの記録マークＲＭを同時に形成させ得るようになされている。
【００５３】
（１−１−３）記録層の構成
次に、上述した記録層１０１の構成について説明する。
【００５４】
記録層１０１は、光重合型フォトポリマでなり、均一に分散させたモノマ及び光重合開始剤などでなる未硬化樹脂１０１ａを基板１０２及び１０３の間に挟んだ状態で、図６に示すように例えば高圧水銀灯、高圧メタハラ灯、固体レーザや半導体レーザ等でなる初期化光源１１０から初期化光Ｌｐ１が照射され、当該未硬化樹脂１０１ａが重合することにより作製される。
【００５５】
この未硬化樹脂１０１ａは、例えばラジカル重合化合物と光重合開始剤より構成され、あるいはカチオン重合化合物とカチオン発生形光重合開始剤より構成されている。またこの光重合型樹脂、光架橋型樹脂及び光重合開始剤、このうち特に光重合開始剤は、その材料が適切に選定されることにより、光重合を生じやすい波長を所望の波長に調整することが可能である。
【００５６】
さらにこの未硬化樹脂１０１ａには、少量の有機金属化合物または無機金属化合物あるいはその両方が混入され、初期化光Ｌｐ１の照射により光重合反応、若しくは光架橋反応、若しくはその両方の反応が引き起こされるようになされている。
【００５７】
このように光ディスク１００は、全体として薄板状に構成されると共に光をほぼ透過するように構成され、初期化処理により記録層１０１内部の樹脂が重合又は架橋或いはその両方をし、さらに当該記録層１０１内に少量の有機金属化合物が含まれるようになされている。
【００５８】
この記録層１０１では、記録処理時の所定強度以上でなる青色光ビームＬｂｉが記録層１０１内の目標マーク位置に集光されると、記録マークＲＭが形成される。これは、記録層１０１内で青色光ビームＬｂｉが集光されて局所的に温度が上昇し、これにより有機金属化合物が熱的に変化されて変質し、フッ化物、酸化物等の金属化合物又は純粋な金属が析出、凝集されるもの考えられている。
【００５９】
すなわち記録層１０１では、有機金属化合物を含有する樹脂のうち、記録用青色光ビームＬｂｉＷが集光されて局所的に高温化した部分が変質し、金属化合物又は純粋な金属が析出したことにより、その屈折率が変化し、反射率が向上すると推察される。
【００６０】
実際上、未硬化樹脂１０１ａは、例えばアクリル酸エステルモノマ（ｐ−クミルフェノールエチレンオキシド付加アクリル酸エステル）とウレタン２官能アクリレートオリゴマを４０：６０（重量比）、オリゴマ重量比２［％］の有機金属化合物であり光重合開始剤でもある（ビス（η−２，４−シクロペンタジエン−１−イル）−ビス（２，６−ジフルオロ−３−（１Ｈ−ピロール−１−イル）−フェニル）チタニウム（チバ・スペシャリティ・ケミカルズＩｒｇ−７８４、以下これをＩｒｇ−７８４と呼ぶ）が暗室下混合脱泡されることにより作製される。
【００６１】
そして記録層１０１は、この未硬化樹脂１０１ａが基板１０２上に展開された状態で、当該基板１０２及び反射透過膜１０４が形成された基板１０３の間に挟み込まれた上で、高圧水銀灯でなる初期化光源１１０により初期化光Ｌｐ１（波長３６５［ｎｍ］においてパワー密度３０ｍＷ／ｃｍ２）が６０［ｍｉｎ］照射され光硬化されることにより作製される。
【００６２】
この初期化処理において記録層１０１は、全体的に光重合反応または光架橋反応あるいはその両方の反応が生じることにより、内部で樹脂が重合又は架橋或いはその両方をすることにより初期化（プリキュア）される。この結果、記録層１０１は、初期化光の照射前と比較して、屈折率が全体的に変化することになる。因みに記録層１０１は、光硬化された状態においてほぼ透明となり、照射される光を高い割合で透過させるようになされている。
【００６３】
かくして記録層１０１内の目標位置近傍は、記録用青色光ビームＬｂｉＷが集光されて局所的に高温化することにより、その周囲と比較して反射率が局所的に高い部分でなる記録マークＲＭが形成され、情報が記録されることになる。この結果、記録マークＲＭに読出用青色光ビームＬｂｉＲを照射すると、強い輝度でなる青色光ビームＬｂｔを検出することができる。因みに、この記録マークＲＭは、目視では確認することが困難である。
【００６４】
一方、記録マークＲＭを記録しなかった箇所（すなわち未記録部分）に対して読出用青色光ビームＬｂｉＲを照射すると、非常に微弱な青色光ビームＬｂｔが検出される。すなわち光情報記録再生装置２０は光ディスク１００から情報を再生する際、記録マークＲＭの有無に応じて青色光ビームＬｂｔの検出強度が大きく異なることがわかる。
【００６５】
このことは、例えば光ディスク装置２０が符号「０」又は「１」を記録マークＲＭの有無と対応付けることにより光ディスク１００に情報を記録し得ると共に、その情報を再生した場合に、そのときの目標位置に記録マークＲＭが記録されているか否か、すなわち情報として符号「０」又は「１」のいずれが記録されているかを高い精度で判別し得ることを表している。
【００６６】
このように光ディスク装置２０は、光ディスク１００を用い、有機金属化合物が配合されると共に予め光硬化された記録層１０１に対して記録用青色光ビームＬｂｉＷを集光し高温化することにより、金属化合物又は純粋な金属を析出させて記録マークＲＭを形成する情報記録を行うことができる。また光ディスク装置２０は、当該記録マークＲＭに読出用青色光ビームＬｂｉＲを照射することにより、強い輝度でなる青色光ビームＬｂｔを検出する情報再生を行うことができる。
【００６７】
（１−２）光ディスク装置の構成
次に、上述した光ディスク１００に対応した光ディスク装置２０について説明する。光ディスク装置２０は、図７に示すように、制御部２１により全体を統括制御するようになされている。
【００６８】
制御部２１は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、情報記録処理や情報再生処理等の各種処理を実行するようになされている。
【００６９】
例えば制御部２１は、光ディスク１００が装填された状態で、図示しない外部機器等から情報記録命令、記録情報及び記録アドレス情報を受け付けると、駆動命令及び記録アドレス情報を駆動制御部２２へ供給すると共に、記録情報を信号処理部２３へ供給する。因みに記録アドレス情報は、光ディスク１００の記録層１０１又は反射透過膜１０４に付されたアドレスのうち、記録情報を記録すべきアドレスを示す情報である。
【００７０】
駆動制御部２２は、駆動命令に従い、スピンドルモータ２４を駆動制御することにより光ディスク１００を所定の回転速度で回転させると共に、スレッドモータ２５を駆動制御することにより、光ピックアップ２６を移動軸２５Ａ及び２５Ｂに沿って光ディスク１００の径方向（すなわち内周方向又は外周方向）における記録アドレス情報に対応した位置へ移動させる。
【００７１】
信号処理部２３は、供給された記録情報に対して所定の符号化処理や変調処理等の各種信号処理を施すことにより記録信号を生成し、これを光ピックアップ２６へ供給する。
【００７２】
光ピックアップ２６は、駆動制御部２２の制御に基づいてフォーカス制御及びトラッキング制御を行うことにより、光ディスク１００の記録層１０１又は反射透過膜１０４における記録アドレス情報により示される目標記録トラックＴｗｔに光ビームの照射位置を合わせ、信号処理部２３からの記録信号に応じた５つの記録マークＲＭを同時に記録するようになされている（詳しくは後述する）。
【００７３】
また制御部２１は、例えば外部機器（図示せず）から情報再生命令及び当該記録情報のアドレスを示す再生アドレス情報を受け付けると、駆動制御部２２に対して駆動命令を供給すると共に、再生処理命令を信号処理部２３へ供給する。
【００７４】
駆動制御部２２は、情報を記録する場合と同様、スピンドルモータ２４を駆動制御することにより光ディスク１００を所定の回転速度で回転させると共に、スレッドモータ２５を駆動制御することにより光ピックアップ２６を再生アドレス情報に対応した位置へ移動させる。
【００７５】
光ピックアップ２６は、駆動制御部２２の制御に基づいてフォーカス制御及びトラッキング制御を行うことにより、光ディスク１００の記録層１０１又は反射透過膜１０４における再生アドレス情報により示される目標記録トラックＴｗｔに光ビームの照射位置を合わせ、所定光量の光ビームを照射する。このとき光ピックアップ２６は、光ディスク１００における記録層１０１の記録マークＲＭから発生される５つの青色光ビームＬｂｔを検出し、その光量に応じた５つの再生検出信号ＳＤｂを信号処理部２３へ供給するようになされている（詳しくは後述する）。
【００７６】
信号処理部２３は、供給された再生検出信号に対して所定の復調処理や復号化処理等の各種信号処理を施すことにより５つの再生情報を生成し、この５つの再生情報を制御部２１へ供給する。制御部２１は、所定の情報統合処理によって５種類の再生情報を一つの再生情報に統合した上で外部機器（図示せず）へ送出するようになされている。
【００７７】
このように光ディスク装置２０は、制御部２１によって光ピックアップ２６を制御することにより、光ディスク１００の記録層１０１における目標トラックに情報を記録し、また当該目標トラックから情報を再生するようになされている。
【００７８】
（１−３）光ピックアップの構成
次に、光ピックアップ２６の構成について説明する。この光ピックアップ２６では、位置制御のためのサーボ光学系３０と、５本の青色光ビームＬｂ１〜Ｌｂ５に対応する５つの情報光学系（第１情報光学系５０、第２情報光学系６０、第３情報光学系７０、第４情報光学系８０及び第５情報光学系９０）とを有している。
【００７９】
光ピックアップ２６は、サーボ光学系３０を介してレーザダイオード３１から出射した赤色光ビームＬｒ１を対物レンズ４０へ入射し、光ディスク１００に照射する。また光ピックアップ２６は、レーザダイオード５１、６１、７１、８１及び９１から出射した読出用青色光ビームＬｂｉＲ又は記録用青色光ビームＬｂｉＷとしての青色光ビームＬｂｉ１〜Ｌｂｉ５を対応する５つの情報光学系をそれぞれ介して同一の対物レンズ４０へ入射し、光ディスク１００にそれぞれ照射するようになされている。
【００８０】
（１−３−１）赤色光ビームの光路
図８に対応する図９に示すように、サーボ光学系３０では、対物レンズ４０を介して赤色光ビームＬｒ１を光ディスク１００に照射すると共に、当該光ディスク１００に反射されてなる赤色光ビームＬｒ２をフォトディテクタ４３で受光するようになされている。
【００８１】
すなわちレーザダイオード３１は、波長約６６０[ｎｍ]のｐ偏光でなる赤色レーザ光を射出し得るようになされている。実際上レーザダイオード３１は、制御部２１（図７）の制御に基づいて発散光でなる所定光量の赤色光ビームＬｒ１を発射し、コリメータレンズ３２へ入射させる。コリメータレンズ３２は、赤色光ビームＬｒ１を発散光から平行光に変換し、偏光ビームスプリッタ３３へ入射させる。
【００８２】
偏光ビームスプリッタ３４は、反射透過面３４Ｓにおいて、光ビームの偏光方向により異なる割合で当該光ビームを反射又は透過するようになされている。この反射透過面３４は、ｐ偏光の光ビームをほぼ全て透過し、ｓ偏光の光ビームをほぼ全て反射するようになされている。
【００８３】
そして偏光ビームスプリッタ３３は、ｐ偏光でなる赤色光ビームＬｒ１のほぼ全てを透過させ、１／４波長板３４へ入射する。
【００８４】
１／４波長板３４は、ｐ偏光でなる赤色光ビームＬｒ１を例えば左円偏光に変換し、ダイクロイックプリズム３５入射し、赤色光ビームＬｒ１をダイクロイックプリズム３６〜３９に順次入射させる。ダイクロイックプリズム３５〜３９は、透過反射面３５Ｓ〜３９Ｓによって光ビームの波長に応じて異なる割合で当該光ビームを反射又は透過させるようになされており、赤色光ビームＬｒをほぼ１００％透過させる一方、青色光ビームＬｂを所定の割合（詳しくは後述する）で反射及び透過させる。
【００８５】
これによりダイクロイックプリズム３５〜３９は、赤色光ビームＬｒ１のほぼ全てを透過させて対物レンズ４０へ入射する。
【００８６】
対物レンズ４０は、赤色光ビームＬｒ１を集光し、光ディスク１００の反射透過膜１０４へ向けて照射する。このとき赤色光ビームＬｒ１は、図２に示したように、基板１０２を透過し反射透過膜１０４において反射されて、赤色光ビームＬｒ１と反対方向へ向かい、赤色光ビームＬｒ１と逆回りの偏光方向でなる赤色光ビームＬｒ２となる。
【００８７】
この後、赤色光ビームＬｒ２は、対物レンズ４０によって平行光に変換された後、ダイクロイックプリズム３９へ入射される。ダイクロイックプリズム３９は、赤色光ビームＬｒ２を透過させ、ダイクロイックプリズム３８〜３５を順次介してこれを１／４波長板３４へ入射する。
【００８８】
１／４波長板３６は、右円偏光でなる赤色光ビームＬｒ２をｓ偏光に変換し、偏光ビームスプリッタ３３へ入射する。偏光ビームスプリッタ３３は、ｓ偏光でなる赤色光ビームＬｒ２を反射させ、マルチレンズ４１へ入射する。
【００８９】
マルチレンズ４１は、赤色光ビームＬｒ２を収束させ、シリンドリカルレンズ４２により非点収差を持たせた上で当該赤色光ビームＬｒ２をフォトディテクタ４３へ照射する。
【００９０】
ところで光ディスク装置２０では、回転する光ディスク１００における面ブレ等が発生する可能性があるため、対物レンズ４０に対する目標トラックの相対的な位置が変動する可能性がある。
【００９１】
このため、赤色光ビームＬｒ１の赤色光焦点Ｆｒ（図２）を目標トラックに追従させるには、当該赤色光焦点Ｆｒを光ディスク１００に対する近接方向又は離隔方向であるフォーカス方向及び光ディスク１００の内周側方向又は外周側方向であるトラッキング方向へ移動させる必要がある。
【００９２】
そこで対物レンズ４０は、２軸アクチュエータ４０Ａにより、フォーカス方向及びトラッキング方向の２軸方向へ駆動され得るようになされている。
【００９３】
またサーボ光学系３０（図８）では、対物レンズ３８により赤色光ビームＬｒ１が集光され光ディスク１００の反射透過膜１０４へ照射されるときの合焦状態が、マルチレンズ４１により赤色光ビームＬｒ２が集光されフォトディテクタ４３に照射されるときの合焦状態に反映されるよう、各種光学部品の光学的位置が調整されている。
【００９４】
フォトディテクタ４３は、図１０に示すように、赤色光ビームＬｒ２が照射される面上に、格子状に分割された４つの検出領域４３Ａ、４３Ｂ、４３Ｃ及び４３Ｄを有している。因みに矢印ａ１により示される方向（図中の縦方向）は、赤色光ビームＬｒ１が反射透過膜１０４（図３）に照射されるときの、トラックの走行方向に対応している。
【００９５】
フォトディテクタ４３は、検出領域４３Ａ、４３Ｂ、４３Ｃ及び４３Ｄにより赤色光ビームＬｒ２の一部をそれぞれ検出し、このとき検出した光量に応じて検出信号ＳＤＡｒ、ＳＤＢｒ、ＳＤＣｒ及びＳＤＤｒをそれぞれ生成して、これらを信号処理部２３（図７）へ送出する。
【００９６】
信号処理部２３は、いわゆる非点収差法によるフォーカス制御を行うようになされており、次に示す（１）式に従ってフォーカスエラー信号ＳＦＥｓを算出し、これを駆動制御部２２へ供給する。
【００９７】
【数１】
2008305509.tif 000003
【００９８】
このフォーカスエラー信号ＳＦＥｓは、赤色光ビームＬｒ１の赤色光焦点Ｆｒと光ディスク１００の反射透過膜１０４とのずれ量を表すことになる。
【００９９】
また信号処理部２３は、いわゆるプッシュプル法によるトラッキング制御を行うようになされており、次に示す（２）式に従ってトラッキングエラー信号ＳＴＥｒを算出し、これを駆動制御部２２へ供給する。
【０１００】
【数２】
2008305509.tif 000004
【０１０１】
このトラッキングエラー信号ＳＴＥｒは、赤色光焦点Ｆｒと光ディスク１００の反射透過膜１０４における目標トラックとのずれ量を表すことになる。
【０１０２】
駆動制御部２２は、フォーカスエラー信号ＳＦＥｓを基にフォーカス駆動信号ＳＦＤｒを生成し、当該フォーカス駆動信号ＳＦＤｒを２軸アクチュエータ４０Ａへ供給することにより、赤色光ビームＬｒ１が光ディスク１００の反射透過膜１０４に合焦するよう、対物レンズ４０をフィードバック制御（すなわちフォーカス制御）する。
【０１０３】
また駆動制御部２２は、トラッキングエラー信号ＳＴＥｒを基にトラッキング駆動信号ＳＴＤｒを生成し、当該トラッキング駆動信号ＳＴＤｒを２軸アクチュエータ４０Ａへ供給することにより、赤色光ビームＬｒ１が光ディスク１００の反射透過膜１０４における目標トラックに合焦するよう、対物レンズ４０をフィードバック制御（すなわちトラッキング制御）する。
【０１０４】
このようにサーボ光学系３０は、赤色光ビームＬｒ１を光ディスク１００の反射透過膜１０４に照射し、その反射光である赤色光ビームＬｒ２の受光結果を信号処理部２３へ供給するようになされている。これに応じて駆動制御部２２は、当該赤色光ビームＬｒ１を当該反射透過膜１０４の目標トラックに合焦させるよう、対物レンズ４０のフォーカス制御及びトラッキング制御を行うようになされている。
【０１０５】
（１−３−２）情報光学系の構成
（１−３−２−１）各情報光学系の構成
次に図６と対応する図１１を用いて第１情報光学系５０について説明する。なお、他の情報光学系（第２情報光学系６０、第３情報光学系７０、第４情報光学系８０及び第５情報光学系）の構成は第１情報光学系５０と同様であるため、説明を省略する。ちなみに当該他の情報光学系における各光学部品には、第１情報光学系５０における光学部品と対応する各光学部品について、末尾に同一の番号を附して示している。
【０１０６】
この第１情報光学系５０では、レーザダイオード５１から出射した青色光ビームＬｂｉ１を、対物レンズ４０を介して光ディスク１００に照射すると共に、当該光ディスク１００に反射されてなる青色光ビームＬｂｔ１をフォトディテクタ５９で受光するようになされている。
【０１０７】
すなわちレーザダイオード５１は、波長約４０５[ｎｍ]の青色レーザ光を射出し得るようになされている。実際上レーザダイオード５１は、制御部２１（図５）の制御に基づいて発散光でなる所定光量の青色光ビームＬｂｉ１を発射し、コリメータレンズ５２へ入射させる。コリメータレンズ５２は、青色光ビームＬｂｉ１を発散光から平行光に変換し、偏光ビームスプリッタ５３へ入射させる。
【０１０８】
偏光ビームスプリッタ５３は、反射透過面５３Ｓにおいて、光ビームの偏光方向により当該光ビームを反射又は透過するようになされている。例えば反射透過面５３Ｓは、ｐ偏光の光ビームをほぼ全て透過し、ｓ偏光の光ビームをほぼ全て反射するようになされている。
【０１０９】
そして偏光ビームスプリッタ５３は、ｐ偏光でなる青色光ビームＬｂｉ１を透過させ、球面収差などを補正するＬＣＰ（Liquid Crystal Panel）５４を介して１／４波長板５５へ入射する。
【０１１０】
１／４波長板５５は、青色光ビームＬｂｉ１をｐ偏光から例えば左円偏光に変換してリレーレンズ５６へ入射する。
【０１１１】
リレーレンズ５６は、可動レンズ５６Ａにより青色光ビームＬｂｉ１を平行光から収束光に変換し、収束後に発散光となった当該青色光ビームＬｂｉ１を固定レンズ５６Ｂにより再度収束光に変換し、ダイクロイックプリズム３９へ入射させる。
【０１１２】
ここで可動レンズ５６Ａは、図示しないアクチュエータにより青色光ビームＬｂｉ１の光軸方向に移動されるようになされている。実際上、リレーレンズ５６は、制御部２１（図７）の制御に基づきアクチュエータによって可動レンズ５６Ａを移動させることにより、固定レンズ５６Ｂから出射される青色光ビームＬｂｉ１の収束状態を変化させ得るようになされている。
【０１１３】
ダイクロイックプリズム３９は、反射透過面３７Ｓにより当該青色光ビームＬｂｉ１を所定の割合（詳しくは後述する）で反射させ、これを対物レンズ４０へ入射する。
【０１１４】
対物レンズ４０は、青色光ビームＬｂ１を集光し、光ディスク１００へ照射する。このとき青色光ビームＬｂｉ１は、図２に示したように、基板１０２及び反射透過膜１０４を透過し、記録層１０１内に合焦する。
【０１１５】
ここで当該青色光ビームＬｂｉ１の青色光焦点Ｆｂ１の位置は、リレーレンズ５６の固定レンズ５６Ｂから出射される際の収束状態により定められることになる。すなわち青色光焦点Ｆｂ１は、可動レンズ５６Ａの位置に応じて記録層１０１内をフォーカス方向に移動することになる。
【０１１６】
具体的に第１情報光学系５０は、可動レンズ５６Ａの移動距離と青色光ビームＬｂｉ１の青色光焦点Ｆｂ１の移動距離とがほぼ比例関係となるように設計されており、例えば可動レンズ５６Ａを１［ｍｍ］移動させると、青色光ビームＬｂｉ１の青色光焦点Ｆｂ１が３０［μｍ］移動するようになされている。
【０１１７】
実際上、第１情報光学系５０は、制御部２１（図７）により可動レンズ５６Ａの位置が制御されることにより、光ディスク１００の記録層１０１内における青色光ビームＬｂｉ１の青色光焦点Ｆｂ１（図２）の深さｄ１（すなわち反射透過膜１０４からの距離）を調整し、目標マーク位置に青色光焦点Ｆｂ１を合致させるようになされている。
【０１１８】
このように第１情報光学系５０は、サーボ光学系３０によるサーボ制御された対物レンズ４０を介して青色光ビームＬｂｉ１を照射することにより、青色光ビームＬｂｉ１の青色光焦点Ｆｂ１を目標記録トラックＴｗ１に合致させ、さらにリレーレンズ５６における可動レンズ５６Ａの位置に応じて当該青色光焦点Ｆｂ１の深さｄ１を調整することにより、青色光焦点Ｆｂ１を目標深さに合致させ、かくして青色光焦点Ｆｂ１を目標マーク位置に位置させるようになされている。
【０１１９】
そして青色光ビームＬｂ１は、光ディスク１００に対して情報を記録する記録処理の際、青色光焦点Ｆｂ１が目標マーク位置に位置するように対物レンズ４０によって集光され、当該目標マーク位置に記録マークＲＭを形成する。
【０１２０】
一方青色光ビームＬｂｉ１は、光ディスク１００に記録された情報を読み出す再生処理の際、青色光焦点Ｆｂ１に記録マークＲＭが記録されていた場合には、青色光焦点Ｆｂ１に集光した読取用光ビームＦｂ１Ｒが当該記録マークＲＭによって反射され、これにより発生した青色光ビームＬｂｔ１を対物レンズ４０へ入射させる。
【０１２１】
対物レンズ４０は、青色光ビームＬｂｔ１をある程度収束させ、ダイクロイックプリズム３９へ入射する。ダイクロイックプリズム３７は、青色光ビームＬｂｔ１を所定の割合で反射させ、リレーレンズ５６へ入射する。
【０１２２】
リレーレンズ５６は、青色光ビームＬｂｔ１を平行光に変換し、１／４波長板５５へ入射する。１／４波長板５５は、円偏光でなる青色光ビームＬｂｔ１を直線偏光に変換する。このとき青色光ビームＬｂｔ１は、光ディスク１００において青色光ビームＬｂｉ１が反射されたときの偏光方向の反転によりｓ偏光に青色光ビームＬｂｔ１を変換し、ＬＣＰ５４を介して偏光ビームスプリッタ５３に入射する。
【０１２３】
偏光ビームスプリッタ５３は、ｓ偏光でなる青色光ビームＬｂｔ１を偏光面５３Ｓによって反射し、マルチレンズ５７へ入射させる。マルチレンズ５７は、青色光ビームＬｂｔ１を集光し、ピンホール板５８（詳しくは後述する）を介してフォトディテクタ５９へ照射させる。
【０１２４】
フォトディテクタ５９は、青色光ビームＬｂｔ１の光量に応じた検出信号ＳＤｂを生成し、これを信号処理部２３（図７）へ供給する
【０１２５】
信号処理部２３は、再生検出信号ＳＤｂに対して所定の復調処理や復号化処理等を施すことにより再生情報を生成し、この再生情報を制御部２１へ供給するようになされている。
【０１２６】
このように第１情報光学系５０は、光ディスク１００から対物レンズ４０へ入射される青色光ビームＬｂｔ１を受光し、その受光結果を信号処理部２３へ供給するようになされている。
【０１２７】
（１−３−２−２）５本の青色光ビームの照射
図４を用いて上述したように、光ピックアップ２６はトラッキング方向に並列に青色光焦点Ｆｂ１〜Ｆｂ５が並ぶように、５本の青色光ビームＬｂｉ１〜Ｌｂｉ５を照射する。
【０１２８】
ここで図１２に示すように、光ピックアップ２６は、青色光ビームＬｂｉ１〜Ｌｂｉ５の光軸Ｌｘ（Ｌｘｉ１〜Ｌｘｉ５）を互いに傾斜させた状態で対物レンズ４０に入射する。
【０１２９】
具体的に光ピックアップ２６は、図１３に示すように、レーザダイオード５１、６１、７１、８１及び９１を互いに僅かに傾斜させてその設置角度を調整することにより、対物レンズ４０に入射するときの光軸Ｌｘｉ１〜Ｌｘｉ５を互いに僅かに傾斜させる。なお、図１３では説明の便宜上、一部の光学部品を省略した上で、第１情報光学系５０、第２情報光学系６０及び第３情報光学系７０のみを示している。
【０１３０】
このとき光ピックアップ２６は、青色光ビームＬｂｉ１〜Ｌｂｉ５の中心に位置する青色光ビームＬｂｉ３の光軸Ｌｘｉ３が対物レンズ４０に対して垂直に入射するように当該青色光ビームＬｂｉ３を入射させると共に、青色光焦点Ｆｂ１、Ｆｂ２、Ｆｂ３、Ｆｂ４及びＦｂ５が記録トラックピッチＰｗだけそれぞれ離隔しつつトラッキング方向へ一直線上に並ぶように、光軸Ｌｘｉ３に対して光軸Ｌｘｉ１、Ｌｘｉ２、Ｌｘｉ４及びＬｘｉ５を傾斜させる。
【０１３１】
これにより光ピックアップ２６は、青色光ビームＬｂｉ３を記録トラック束ＴｗＢの中心Ｃｔｗに位置させることにより、青色光ビームＬｂｉ１〜Ｌｂｉ５の全てについての青色光焦点Ｆｂ１〜Ｆｂ５を対応する仮想の記録トラックＴｗにそれぞれ位置させ得るようになされている。
【０１３２】
また光ピックアップ２６（図８）では、同等の光量で各レーザダイオード５１、６１、７１、８１及び９１から照射される青色光ビームＬｂｉ１〜Ｌｂｉ５を、同等の光量でそれぞれ光ディスク１００に照射するように、ダイクロイックプリズム３５〜３９の反射透過膜３５Ｓ〜３９Ｓを選定している。
【０１３３】
具体的に、反射透過膜３５Ｓ〜３９Ｓは、６６０[ｎｍ]の波長でなる赤色光ビームＬｒ（Ｌｒ１及びＬｒ２）の殆ど全てを透過する一方、４０５[ｎｍ]の波長でなる青色光ビームＬｂを所定の割合で透過及び反射させる。
【０１３４】
ダイクロイックプリズム３５の反射透過膜３５Ｓは、青色光ビームＬｂの約２０％を反射させる一方、残りの約８０％を透過させる。またダイクロイックプリズム３６の反射透過膜３６Ｓは、青色光ビームＬｂの約２５％を反射させる一方、残りの約７５％を透過させる。
【０１３５】
ダイクロイックプリズム３７の反射透過膜３７Ｓは、青色光ビームＬｂの約３３．３％を反射させる一方、残りの約６６．７％を透過させる。またダイクロイックプリズム３８の反射透過膜３８Ｓは、青色光ビームＬｂの約５０％を反射させる一方、残りの約５０％を透過させる。さらにダイクロイックプリズム３９の反射透過膜３９Ｓは、青色光ビームＬｂのほぼ全てを反射させるようになされている。
【０１３６】
以下、対物レンズ４０に入射されるときの青色光ビームＬｂｉ１〜Ｌｂｉ５の光強度を対物レンズ入射光強度ＬＰ（ＬＰ１〜ＬＰ５）と呼び、ダイクロイックプリズム３５〜３９に入射される直前の青色光ビームＬｂｉ１〜Ｌｂｉ５の光強度をプリズム入射光強度ＰＰ（ＰＰ１〜ＰＰ５）と呼ぶ。
【０１３７】
第１情報光学系５０におけるレーザダイオード５１から出射された青色光ビームＬｂｉ１は、ダイクロイックプリズム３５の反射透過膜３５Ｓによってその約２０％が反射されて対物レンズ４０に入射される。このため対物レンズ入射光強度ＬＰ１は、プリズム入射光強度ＰＰ１の約２０％となる。
【０１３８】
第２情報光学系６０におけるレーザダイオード６１から出射された青色光ビームＬｂｉ２は、ダイクロイックプリズム３６の反射透過膜３６Ｓによってその約２５％が反射され、さらに反射透過膜３５Ｓによってその約８０％が透過されて対物レンズ４０に入射される。このため、対物レンズ４０に入射される対物レンズ入射光強度ＬＰ２はプリズム入射光強度ＰＰ２の（８０％×２５％）となり、約２０％となる。
【０１３９】
第３情報光学系７０におけるレーザダイオード７１から出射された青色光ビームＬｂｉ３は、ダイクロイックプリズム３７の反射透過膜３７Ｓによってその約３３．３％が反射され、さらに反射透過膜３６Ｓによってその７５％、反射透過膜３５Ｓによってその約８０％が透過されて対物レンズ４０に入射される。このため、対物レンズ４０に入射される対物レンズ入射光強度ＬＰ３はプリズム入射光強度ＰＰ３の（３３．３％×７５％×８０％）となり、約２０％となる。
【０１４０】
第４情報光学系８０におけるレーザダイオード８１から出射された青色光ビームＬｂｉ４は、ダイクロイックプリズム３８の反射透過膜３８Ｓによってその約５０％が反射され、さらに反射透過膜３７Ｓによってその６６．７％、反射透過膜３６Ｓによってその７５％、反射透過膜３５Ｓによってその約８０％が透過されて対物レンズ４０に入射される。このため、対物レンズ４０に入射される対物レンズ入射光強度ＬＰ４はプリズム入射光強度ＰＰ４の（５０％×６６．７％×７５％×８０％）となり、約２０％となる。
【０１４１】
第５情報光学系９０におけるレーザダイオード９１から出射された青色光ビームＬｂｉ４は、ダイクロイックプリズム３９の反射透過膜３９Ｓによってその約１００％が反射され、さらに反射透過膜３８Ｓによってその５０％、反射透過膜３７Ｓによってその６６．７％、反射透過膜３６Ｓによってその７５％、反射透過膜３５Ｓによってその約８０％が透過されて対物レンズ４０に入射される。このため、対物レンズ４０に入射される対物レンズ入射光強度ＬＰ５はプリズム入射光強度ＰＰ５の（１００％×５０％×６６．７％×７５％×８０％）となり、約２０％となる。
【０１４２】
このように光ピックアップ２６では、プリズム入射光強度ＰＰに対する対物レンズ入射光強度ＬＰが一定の割合になるようにダイクロイックプリズム３５〜３９における反射透過膜３５Ｓ〜３９Ｓの青色光ビームＬｂに対する反射率及び透過率を選定することにより、同等のレーザ光強度で出射された青色光ビームＬｂｉ１〜Ｌｂｉ５の対物レンズ入射光強度ＬＰ１〜ＬＰ５を同等にすることができる。
【０１４３】
この結果光ピックアップ２６は、記録処理の際に、ほぼ同等の構成を有するレーザダイオード５１、６１、７１、８１及び９１に対して同様の制御を行うことにより、記録すべき情報に応じて青色光ビームＬｂｉ１〜Ｌｂｉ５を変調することができ、これにより青色光ビームＬｂｉ１〜Ｌｂｉ５に基づいて同等の記録マークＲＭを形成することができる。
【０１４４】
また再生処理の際には、光ディスク１００に照射するときの青色光ビームＬｂｉ１〜Ｌｂｉ５の光強度を同等にでき、同等の青色光ビームＬｂｔ１〜Ｌｂｔ５を発生させることができる。
【０１４５】
（１−３−２−３）５本の青色光ビームの受光
ここで図１３に示したように、光ピックアップ２６では、各レーザダイオード５１、６１、７１、８１及び９１を互いに傾斜させて配置しているため、青色光ビームＬｂｉ１〜Ｌｂｉ５の光軸Ｌｘｉ１〜Ｌｘｉ５は互いに傾斜した状態で対物レンズ４０に入射されることになる。
【０１４６】
この結果、光ディスク１００に反射されてなる青色光ビームＬｂｔ１〜Ｌｂｔ５の光軸Ｌｘ（Ｌｘｔ１〜Ｌｘｔ５）も互いに傾斜することになり、青色光ビームＬｂｔ１〜Ｌｂｔ５は、光軸Ｌｘｔ１〜Ｌｘｔ５が互いに傾斜した状態でダイクロイックプリズム３５〜３９に入射される。以下、第１情報光学系５０について説明し、同様の構成でなる第２〜第５情報光学系６０、７０、８０及び９０についての説明を省略する。
【０１４７】
第１情報光学系５０におけるダイクロイックプリズム３５の反射透過面３５Ｓは、青色光ビームＬｂｔ１〜Ｌｂｔ５を区別することなく、青色光ビームＬｂを所定の割合で透過及び反射するため、第１情報光学系５０に対して、青色光ビームＬｂｔ１〜Ｌｂｔ５の全てをそれぞれ入射することになる。
【０１４８】
ダイクロイックプリズム３５は、青色光ビームＬｂｔ１〜Ｌｂｔ５をその光軸Ｌｘｔ１〜Ｌｘｔ５が互いに傾斜した状態のまま偏光ビームスプリッタ５３を介してマルチレンズ５７に入射する。
【０１４９】
ここでマルチレンズ５７は、青色光ビームＬｂｔ１〜Ｌｂｔ５の光軸Ｌｘｔ１〜Ｌｘｔ５が互いに傾斜していることから、対物レンズ４０（図１２）と同様にそれぞれトラッキング方向に相違する位置に当該青色光ビームＬｂｔ１〜Ｌｂｔ５を集光する。
【０１５０】
図１４に示すように、ピンホール板５８は、マルチレンズ５７により集光される青色光ビームＬｂｔ１の焦点を孔部５９Ｈ内に位置させるよう配置されているため、当該青色光ビームＬｂｔ１をそのまま通過させることになる。
【０１５１】
一方ピンホール板５８は、青色光ビームＬｂｔ２〜Ｌｂｔ５などの焦点の異なる光をほぼ遮断することになる。この結果、フォトディテク５９は、検出対象となる青色光ビームＬｂｔ１以外の光量を殆ど検出することがない。
【０１５２】
この結果、フォトディテクタ５９は、検出対象でない他の青色光ビームＬｂｔ２〜Ｌｂｔ５の影響を殆ど受けることなく、青色光ビームＬｂｔ１の光量に応じた検出信号ＳＤｂ（ＳＤｂ１）を生成し、これを信号処理部２３（図５）へ供給するようになされている。
【０１５３】
また他のフォトディテクタ６９、７９、８９及び９９も同様に、検出対象となる青色光ビームＬｂｔ２〜Ｌｂｔ５の光量に応じた検出信号ＳＤｂ（ＳＤｂ２〜ＳＤｂ５）をそれぞれ生成し、これを信号処理部２３へ供給する。
【０１５４】
この場合、再生検出信号ＳＤｂは、光ディスク１００に記録マークＲＭとして記録されている情報を精度良く表すものとなる。
【０１５５】
また上述したように、ダイクロイックプリズム３５〜３９における反射透過面３５Ｓ〜３９Ｓの青色光ビームＬｂに対する透過率及び反射率の選定により、各フォトディテクタ５９、６９、７９、８９及び９９には同等の光量でなる青色光ビームＬｂｔ１〜Ｌｂｔ５が受光される。
【０１５６】
そして光ピックアップ２６では、各フォトディテクタ５９、６９、７９、８９及び９９によって同等の信号レベルでなる再生検出信号ＳＤｂを生成し、これを信号処理部２３に供給する。
【０１５７】
これにより光ピックアップ２６は、信号処理部２３に各検出信号ＳＤｂ１〜ＳＤｂ５に対して同様に、上述した復調処理や復号化処理等の各種信号処理を施させることによりそれぞれ再生情報を生成することができ、当該再生検出信号ＳＤｂから再生情報を生成する際の信号処理を簡易することができる。
【０１５８】
このように光ディスク装置２０は、光軸Ｌｘｔ１〜Ｌｘｔ５が互いに傾斜した状態で青色光ビームＬｂｔ１〜Ｌｂｔ５を各マルチレンズ５７、６７、７７、８７及び９７に入射することにより、青色光ビームＬｂｔ１〜Ｌｂｔ５の焦点位置をトラッキング方向にずらし、受光対象となる青色光ビームＬｂｔに合わせてピンホール５８Ｈを配置することにより、対応する青色光ビームＬｂｔのみを選択的にピンホール板５８に通過させて各フォトディテクタ５９、６９、７９、８９及び９９にそれぞれ導くことができる。
【０１５９】
（１−４）動作及び効果
以上の構成において、光ディスク装置２０は、記録すべき情報に基づいて所定数（５本）の記録光である青色光ビームＬｂｉ（Ｌｂｉ１〜Ｌｂｉ５）及び当該青色光ビームＬｂｉの位置制御に使用される位置制御光である赤色光ビームＬｒ１を対物レンズ４０によって集光し、ディスク状でなる光情報記録媒体である光ディスク１００に対して照射する。
【０１６０】
このとき光ディスク装置２０は、光ディスク１００に形成され赤色光ビームＬｒ１の少なくとも一部を反射させる反射層としての反射透過膜１０４において螺旋状に形成されたガイドトラックＴｇに対し、赤色光ビームＬｒ１を合焦させるよう対物レンズ４０を駆動し、リレーレンズ５６、６６、７６、８６及び９６によって青色光ビームＬｂｉの収束状態を変化させることにより、対物レンズ４０が光ディスク１００に対して近接及び離隔する深さ方向に、赤色光ビームＬｒ１の赤色光焦点Ｆｒから５本の青色光ビームＦｂの焦点である青色光焦点Ｆｂ（Ｆｂ１〜Ｆｂ５）を任意の距離だけ離隔させ、５つの青色光焦点Ｆｂを当該青色光ビームＦｂが照射されるべき目標深さに合わせる。
【０１６１】
そして光ディスク装置２０は、ガイドトラックＴｇに対応して５本想定されている仮想トラックである記録トラックＴｗに５つの青色光焦点Ｆｂをそれぞれ位置させることにより、５本の青色光ビームＬｂに基づく５の記録マークＲＭをガイドトラックＴｇに沿って形成させるようにした。
【０１６２】
これにより光ディスク装置２０は、記録処理の際、光ディスク１００に対して５本の青色光ビームＬｂｉ１〜Ｌｂｉ５を同時に照射することにより、記録処理の際に５本の青色光ビームＬｂｉ１〜Ｌｂｉ５による５つの記録マークＲＭを同時に記録することができ、通常の記録速度で光ディスク１００を回転させながら記録するだけで、見かけ上５倍の記録速度を得ることができる。
【０１６３】
また光ディスク装置２０は、５つの青色光焦点Ｆｂのトラッキング方向の位置をそれぞれ記録トラックピッチＰｇだけ離隔した状態で固定し、対物レンズ４０の移動に応じて当該５本の青色光焦点Ｆｂをトラッキング方向に一体的に移動するようになされているため、５本の青色光ビームＬｂｉ１〜Ｌｂｉ５のトラッキング制御を一系統のサーボ光学系３０のみで実行することができる。
【０１６４】
これにより光ディスク装置２０は、一つの青色光焦点Ｆｂごとにサーボ光学系３０を設ける必要が無く、光ピックアップ２６の構成を簡易にすることができる。
【０１６５】
また光ディスク装置２０は、レーザダイオード５１、６１、７１、８１及び９１を５の青色光ビームＬｂｉの光軸Ｌｘｉ（Ｌｘｉ１〜Ｌｘｉ５）を互いに傾斜させるように設置し、５本の記録トラックＴｗに５つの青色光焦点Ｆｂをそれぞれ位置させるようにしたため、青色光焦点の位置制御のための光学部品を別途設ける必要がない。
【０１６６】
さらに光ディスク装置２０は、赤色光ビームＬｒ１を透過させる一方、青色光ビームＬｂを所定の割合で透過及び反射、又は当該記録光の殆ど全てを反射させる５のダイクロイックプリズム３５〜３９によって５の青色光ビームＬｂ及び赤色光ビームＬｒ１を合成して対物レンズ４０に入射することにより、光ピックアップ２６における光学部品の点数を最小限に留め、その構成を簡易にすることができる。
【０１６７】
また当該５つのダイクロイックプリズム３５〜３９は、対物レンズ４０に入射するときにおける５本の青色光ビームＬｂｉの光強度がほぼ均等になるように青色光ビームＬｂｉに対する透過及び反射の割合が選定されているため、各青色光ビームＬｂｉ１〜Ｌｂｉ５に基づいて同等の記録マークＲＭ１〜ＲＭ５を光ディスク１００に形成することができる。
【０１６８】
さらに光ディスク装置２０は、５本の青色光ビームＬｂｉ及び赤色光ビームＬｒ１を光ディスク１００に対して照射する際、反射透過膜１０４に螺旋状に形成されたガイドトラックＴｇに対し、赤色光ビームＬｒを合焦させるよう対物レンズ４０を駆動し、５本の青色光ビームＬｂｉの収束状態を変化させることにより、赤色光ビームＬｒ１の赤色光焦点Ｆｒから５の青色光焦点Ｆｂを深さ方向に任意の距離だけ離隔させ、５つの青色光焦点Ｆｂを当該青色光ビームＬｂｉが照射されるべき目標深さに合わせ、ガイドトラックＴｇに対応して５本想定されている記録トラックＴｗに５つの青色光焦点Ｆｂをそれぞれ位置させ、５本の青色光ビームＬｂｉが光ディスク１００によって反射されてなる５本の反射光である青色光ビームＬｂｔ（Ｌｂｔ１〜Ｌｂｔ５）をそれぞれ検出するようにした。
【０１６９】
これにより光ディスク装置２０は、青色光ビームＬｂｔ１〜Ｌｂｔ５によりそれぞれ通常の再生速度で光ディスク１００を回転させながら再生するだけで、見かけ上、５倍の再生速度を得ることができる。
【０１７０】
この結果、光ディスク装置２０は、記録層１０１における記録マークＲＭの形成にどうしても一定の時間を要することや、光ディスク１００の物理的な強度や高速回転時における面ブレ等によって光ディスク１００の回転速度に上限があること等の要因により、情報の記録速度及び再生速度の上限が必然的に定められてしまうとしても、５本の青色光ビームＬｂｉ１〜Ｌｂｉ５を並行して利用することにより、見かけ上の記録速度及び再生速度を約５倍に向上させることができる。
【０１７１】
さらに光ディスク装置２０は、螺旋状に形成されているガイドトラックＴｇに赤色光焦点Ｆｒを追従させるだけでそのまま５つの記録マークＲＭを螺旋状に形成することができ、従来の１本の螺旋によるトラックに対して５つの記録マークを同時に形成する方法とは異なり、１周ごとにトラックジャンプをさせる必要が無く、光ディスク１００に対してスムーズな記録及び再生を実現することができる。
【０１７２】
また光ディスク１００は、所定の強度以上でなる青色光ビームＬｂｉの照射に応じて記録マークＲＭを形成する記録層１０１と、記録マークＲＭの位置制御のための赤色光ビームＬｒ１の少なくとも一部を反射し、記録マークＲＭが記録されると想定される５本の記録トラックＴｗごとに、赤色光ビームＬｒ１が照射されるガイドトラックＴｇが螺旋状に形成されているようにした。
【０１７３】
これにより光ディスク１００は、光ディスク装置２０に対してガイドトラックＴｇに赤色光ビームＬｒ１を合焦させるだけで、５本の記録トラックＴｗに青色光ビームＬｂｉを照射させることができる。
【０１７４】
以上の構成によれば、光ディスク装置２０は、位置制御に使用される赤色光ビームＬｒ１をガイドトラックＴｇに合焦させながら当該ガイドトラックＴｇに対応する５本の記録トラックＴｗに青色光ビームＬｂｉの青色光焦点Ｆｂをそれぞれ位置させることにより、一つのサーボ光学系３０に対して５つの記録マークＲＭを形成する情報光学系を５つ設けることができ、情報光学系ごとに５つの記録マークＲＭを形成するために５つのサーボ光学系を設ける場合と比較して、光ピックアップ２６の構成を簡易にすることができると共に、光ディスク１００の回転速度を維持したまま記録及び再生速度を５倍にすることができ、かくして光情報記録媒体に対する情報記録及び当該光情報記録媒体からの情報再生を短時間で完了し得る光情報記録装置、光情報記録方法、光情報再生装置及び光情報再生方法、並びにこれらに使用される光情報記録媒体を実現できる。
【０１７５】
（１−５）他の実施の形態
なお上述した第１の実施の形態においては、一様な屈折率を持つフォトポリマでなる記録層に対して光ビームを集光することによりその屈折率又は反射率が変化して記録マークＲＭを形成するようにした場合について述べたが、本発明はこれに限らず、例えば図１５（Ａ）に示すように、光ディスク１００に対してフォーマットとしてフォーマット用光ビームＬｆ１及びＬｆ２を用いて予めホログラムを全面に形成しておき、図１５（Ｂ）に示すように、青色光ビームＬｂｉにより当該ホログラムを破壊してなる記録マークＲＭを記録することにより情報の記録を行うようにし、図１５（Ｂ）及び（Ｃ）に示すように、当該ホログラムの有無を基に記録マークＲＭの有無を検出し得る光ディスク等、種々の光ディスクを用いるようにしても良い。
【０１７６】
この場合、光ディスクに照射する光ビームは、光ディスクの種類や記録方式等に合わせて適宜光量や照射時間等が調整されていれば良い。
【０１７７】
さらに上述した第１の実施の形態においては、レーザダイオード５１、６１、７１、８１及び９１の設置角度を調整することにより対物レンズ４０に入射されるときの青色光ビームＬｂｉ１〜Ｌｂｉ５の光軸を傾斜させるようにした場合について述べたが、本発明はこれに限らず、例えばダイクロイックプリズム３５〜３９を互いに傾斜させて設置するようにしても同様の効果を得ることができる。
【０１７８】
さらに上述した第１の実施の形態においては、対物レンズ４０に入射されるときの青色光ビームＬｂｉ１〜Ｌｂｉ５の光軸を傾斜させることにより５つの青色光焦点Ｆｂを記録トラックＴｗに位置させるようにした場合について述べたが、本発明はこれに限らず、例えば青色光ビームＬｂｉ１〜Ｌｂｉ５の収束状態や、その他種々の方法により５の青色光焦点Ｆｂを記録トラックＴｗに位置させることが可能である。
【０１７９】
さらに上述した第１の実施の形態においては、各ダイクロイックプリズム３５〜３６が赤色光ビームＬｒを透過させる一方、青色光ビームＬｂを所定の割合で透過及び反射、又は青色光ビームＬｂの殆ど全てを反射させるようにした場合について述べたが、本発明はこれに限らず、、各ダイクロイックプリズム３５〜３６が赤色光ビームＬｒを反射させる一方、青色光ビームＬｂを所定の割合で透過及び反射、又は青色光ビームＬｂの殆ど全てを透過させて青色光ビームＬｂ及び赤色光ビームＬｒを合成するようにしても良い。
【０１８０】
さらに上述した第１の実施の形態においては、対物レンズとしての対物レンズ４０と、対物レンズ駆動部としてのアクチュエータ４０Ａと、焦点移動部としてのリレーレンズ５６、６６、７６、８６及び９６と、焦点位置設定部としてのレーザダイオード５１、６１、７１、８１及び９１とによって光情報記録装置としての光ディスク装置２０とを構成する場合について述べたが、本発明はこれに限らず、その他種々の構成でなる対物レンズと、対物レンズ駆動部と、焦点移動部と、焦点位置設定部とによって本発明の光情報記録装置を構成するようにしても良い。
【０１８１】
さらに上述した第１の実施の形態においては、対物レンズとしての対物レンズ４０と、対物レンズ駆動部としてのアクチュエータ４０Ａと、焦点移動部としてのリレーレンズ５６、６６、７６、８６及び９６と、焦点位置設定部としてのレーザダイオード５１、６１、７１、８１及び９１と、検出部としてのフォトディテクタ５９、６９、７９、８９及び９９とによって光情報再生装置としての光ディスク装置２０とを構成する場合について述べたが、本発明はこれに限らず、その他種々の構成でなる対物レンズと、対物レンズ駆動部と、焦点移動部と、焦点位置設定部と、検出部とによって本発明の光情報再生装置を構成するようにしても良い。
【０１８２】
さらに上述した第１の実施の形態においては、記録層としての記録層１０１と、反射層としての反射透過膜１０４とによって光情報記録媒体としての光ディスク１００を構成した場合について述べたが、本発明はこれに限らず、その他種々の構成でなる記録層と、反射層とによって本発明の光情報記録媒体を構成するようにしても良い。
【０１８３】
さらに上述した第１の実施の形態においては、反射透過膜１０４が対物レンズ４０の手前にある基板１０２と記録層１０１との間に設けられるようにした場合について述べたが、本発明はこれに限らず、反射膜１０４に対応する反射膜１０４ｘが対物レンズ４０の「裏側」にある基板１０３と記録層１０１との間に設けられるようにしても良い。
【０１８４】
この場合反射膜１０４ｘは、使用される波長の光（青色レーザ光及び赤色レーザ光）に拘らず光のほぼ１００％を反射することにより、反射膜１０４ｘに波長選択性を持たせる必要がなく、光ディスク１００の構成を簡易にすることができる。
【０１８５】
さらに上述した第１の実施の形態においては、５つのレーザダイオード５１、６１、７１、８１及び９１から５本の青色光ビームＬｂｉを出射するようにした場合について述べたが、本発明はこれに限らず、例えば図１６に示すように、一つのレーザダイオード２５０から出射した青色光ビームＬｂｉ０を、所定の割合で青色光ビームＬｂｉを反射及び透過する無偏光ビームスプリッタによって５本の青色光ビームＬｂｉ１〜Ｌｂｉ５に分離するようにしても良い。なお図１６では、コリメータレンズ５２、６２、７２、８２及び９２以降の部品を省略しているが、以降の光路は図８と同様である。
【０１８６】
この場合、光ディスク装置２０Ｘは、例えば音響光学素子などでなる変調部２６１〜２６５を用いて青色光ビームＬｂｉ１〜Ｌｂｉ５の光強度を制御して変調することにより、記録すべき情報を光ディスク１００に記録するようにする。なお、再生処理のみを行う再生専用機器の場合には、変調部２６１〜２６５は不要となる。
【０１８７】
（２）第２の実施の形態
（２−１）記録及び再生原理
まず、本実施の形態による光ピックアップ２００の具体的な構成を説明する前に、ホログラムを用いた情報の記録原理及び再生原理について説明する。
【０１８８】
図１７（Ａ）において、記録層１０１Ｘは、例えば波長４０５［ｎｍ］でなる青色光ビームに反応し、照射された光強度によって屈折率が変化するフォトポリマ等でなるものとする。
【０１８９】
この記録層１０１Ｘに対して、図の上側及び下側から、波長４０５［ｎｍ］でなる青色光ビームＬｂｉ−Ａ及びＬｂｉ−Ｂを集光するよう所定の強度で照射した場合、青色光ビームＬｂ１及びＬｂ２の干渉により定在波が生成され、ホログラムでなる記録マークＲＭが形成される。
【０１９０】
一方、この記録マークＲＭは、図１７（Ｂ）に示すように、記録時と同波長の青色光ビームＬｂｉ−Ａが照射されると、ホログラムとしての性質により、再生光ビームＬｂｔを発生する。
【０１９１】
また図１７（Ｃ）に示すように、記録層１０１Ｘのうち記録マークＲＭが形成されていない箇所に対して青色光ビームＬｂｉ−Ａが照射された場合、再生光ビームＬｂｔを発生しない。
【０１９２】
そこで、例えば情報を２進数表示したときの値「０」及び「１」を、それぞれ「記録マークＲＭなし」及び「記録マークＲＭあり」に割り当てることにより、記録層１０１Ｘに対して情報を記録し、また再生することが可能となる。
【０１９３】
このようにホログラムの形成を利用した情報の記録では、例えば青色光ビームＬｂｉ−Ａ及びＬｂｉ−Ｂのように２種類の光ビームが用いられ、また情報の再生では、青色光ビームＬｂｉ−Ａのように１種類の光ビームが用いられるようになされている。
【０１９４】
（２−２）光ピックアップの構成
図８と対応する部分に１００を加算した番号を附した図１８に示すように、本実施の形態における光ピックアップ２００では、１つの青色光ビームＬｂｉを２つの青色光ビームＬｂｉ−Ａ及びＬｂｉ−Ｂに分離すると共に、光ディスク１００の両側から青色光ビームＬｂｉ−Ａ及びＬｂｉ−Ｂを照射して形成されるホログラムを記録マークＲＭとして記録する。
【０１９５】
本実施の形態における光ディスク装置２０Ｘは、５つのレーザダイオード１５１、１６１、１７１、１８１及び１９１から出射した青色光ビームＬｂｉ１〜Ｌｂｉ５を、ビームスプリッタ２０１〜２０５によってそれぞれ青色光ビームＬｂｉ１−Ａ〜Ｌｂｉ５−Ａ及びＬｂｉ１−Ｂ〜Ｌｂｉ５−Ｂに分離する。
【０１９６】
そして光ディスク装置２０Ｘは、青色光ビームＬｂｉ１−Ａ〜Ｌｂｉ５−Ａ及びレーザダイオード１３１から出射した赤色光ビームＬｒ１をダイクロイックプリズム１３５〜１３９を適宜介して対物レンズ１４０Ｘに入射する。一方光ディスク装置２０Ｘは、青色光ビームＬｂｉ１−Ｂ〜Ｌｂｉ５−Ｂをミラー２１１〜２１５及びダイクロイックプリズム２２１〜２１５を適宜介して対物レンズ１４０Ｙに入射する。なお図１８では、レーザダイオード、ビームスプリッタ、ミラー、ダイクロイックプリズム、対物レンズ以外の光学部品を省略して示している。また光ディスク装置２０Ｘの構成は、図７に示す光ディスク装置２０と同一であるため、説明を省略する。
【０１９７】
（２−３）動作及び効果
以上の構成によれば、光ディスク装置２０Ｘは、記録すべき情報に基づく所定数の青色光ビーム、すなわち５本の青色光ビームＬｂｉ１〜Ｌｂｉ５を５の第１及び第２の記録光である５本の青色光ビームＬｂｉ−Ａ（Ｌｂｉ１−Ａ〜Ｌｂｉ５−Ａ）及び５本のＬｂｉ−Ｂ（Ｌｂｉ１−Ｂ〜Ｌｂｉ５−Ｂ）にそれぞれ分離し、５本の青色光ビームＬｂｉ−Ａ及び当該Ｌｂｉ−Ａの位置制御に使用される赤色光ビームＬｒ１を第１の対物レンズである対物レンズ１４０Ｘを介して光ディスク１００に照射すると共に、当該青色光ビームＬｂｉ−Ａとは反対側から第２の対物レンズである対物レンズ１４０Ｙを介して光ディスク１００に５本の青色光ビームＬｂｉ−Ｂを照射する。
【０１９８】
また光ディスク装置２０Ｘは、光ディスク１００に形成され赤色光ビームＬｒ１の少なくとも一部を反射させる反射透過膜１０４において螺旋状に形成されたガイドトラックＴｇに対し、赤色光ビームＬｒ１を合焦させるよう第１の対物レンズ駆動部であるアクチュエータ１４０ＸＡによって対物レンズ１４０Ｘを駆動し、５の青色光ビームＬｂｉ−Ａの収束状態を変化させることにより、対物レンズ１０４Ｘが光ディスク１００に対して近接及び離隔する深さ方向に、赤色光ビームＬｒ１の赤色光焦点Ｆｒから５の青色光ビームＬｂｉ−Ａの５つの青色光焦点ＦｂＡ（Ｆｂ１Ａ〜Ｆｂ５Ａ）を任意の距離だけ離隔させ、５の青色光焦点Ｆｂを当該青色光ビームＬｂｉ−Ａが照射されるべき目標深さに合わせる。
【０１９９】
このとき光ディスク装置２０Ｘは、青色光ビームＬｂｉ−Ｂの５つの青色光焦点ＦｂＢ（Ｆｂ１Ｂ〜Ｆｂ５Ｂ）のうち、例えば中心に位置する青色光焦点Ｆｂ３Ｂを青色光焦点Ｆｂ３Ａに追従させることにより、青色光ビームＬｂｉ−Ｂの５つの青色光焦点ＦｂＢを５つの青色光焦点ＦｂＡにそれぞれ重ねるように対物レンズ１４０Ｙを駆動し、ガイドトラックＴｇに対応して５だけ想定されている仮想の記録トラックＴｗに５の青色光焦点ＦｂＡ及びＦｂＢをそれぞれ位置させることにより、５の青色光ビームＬｂｉ−Ａ及びＬｂｉ−Ｂに基づくホログラムでなる５つの記録マークＲＭをガイドトラックＴｇに沿って形成する。
【０２００】
これにより光ディスク装置２０Ｘは、上述した実施の形態と同様に、記録処理の際に５本の青色光ビームＬｂｉ１〜Ｌｂｉ５による５つの記録マークＲＭを同時に記録することができ、通常の記録速度で光ディスク１００を回転させながら記録するだけで、見かけ上５倍の記録速度を得ることができる。
【０２０１】
（２−４）他の実施の形態
なお上述した第２の実施の形態においては、光ディスク１００に対し、対物レンズ１４０Ｘを介して青色光ビームＬｂｉ−Ａを照射し、光ディスク１００における青色光ビームＬｂｉ−Ａが照射される面とは反対の面から、対物レンズ１４０Ｙを介して光ディスク１００に青色光ビームＬｂｉ−Ｂを照射するようにした場合について述べたが、本発明はこれに限らず、同一の対物レンズから青色光ビームＬｂｉ−Ａ及びＬｂｉ−Ｂを照射し、一方の青色光ビームＬｂｉを反射層１０４で反射させることにより、青色光ビームＬｂｉ−Ａ及びＬｂｉ−Ｂの焦点を記録マーク位置で互いに反対方向から重ね合わせるようにしても良い。
【０２０２】
（３）第３の実施の形態
（３−１）光ピックアップの構成
図８と対応する部分に同一符号を附して示す図１９に示すように、本実施の形態における光ディスク装置２０Ｙ（図示せず）では、５本ではなく、２本の青色光ビームＬｂｉ１及びＬｂｉ２を用いると共に、ピンホール板５８を使用して焦点位置に基づいて青色光ビームＬｂｉを分離するのではなく、青色光ビームＬｂｉの偏光方向の差異を利用して青色光ビームＬｂｉを分離する。なお光ディスク装置２０Ｘの構成は、図７に示す光ディスク装置２０と同一であるため、説明を省略する。
【０２０３】
具体的に光ディスク装置２０Ｙにおける光ピックアップ２８０は、情報光学系として、第１情報光学系２８１及び第２情報光学系２８２を有している。
【０２０４】
第１情報光学系２８１及び第２情報光学系２８２では、レーザダイオード５１から出射した青色光ビームＬｂｉ０を１／２波長板２７１及び偏光ビームスプリッタ２７２によって偏光方向の異なる２つの青色光ビームＬｂｉ１及びＬｂｉ２に分離し、偏光ビームスプリッタ２７３やミラー２７４及び２７５を介して当該青色光ビームＬｂｉ１及びＬｂｉ２を対物レンズ２９１に入射する。
【０２０５】
第１情報光学系２８１及び第２情報光学系２８２では、光ディスク１００で反射されてなる青色光ビームＬｂｔ１及びＬｂｔ２を偏光ビームスプリッタ２７３で透過又は反射することにより、青色光ビームＬｂｉ２及びＬｂｉ１が辿った光路にそれぞれ入射する。すなわち青色光ビームＬｂｔ１及びＬｔｂ２は、反射前の青色光ビームＬｂｉ１及びＬｂｉ２とは異なる光路を辿ってフォトディテクタ６９及び５９にそれぞれ受光されることになる。
【０２０６】
このように、二の読出光である青色光ビームＬｂｉ１及びＬｂｉ２における偏光方向の差異を利用して当該青色光ビームＬｂｉ１及びＬｂｉ２に基づく二の反射光である青色光ビームＬｂｔ１及びＬｔｂ２を偏光ビームスプリッタ２７３によって分離してフォトディテクタ６９及び５９にそれぞれ検出させることにより、上述した実施の形態とは異なりレーザダイオード５１から出射した青色光ビームＬｂｉ０の殆ど全てを青色光ビームＬｂｉ１及びＬｂｉ２として光ディスク１００に照射することができ、青色光ビームＬｂｉ０のエネルギーの損失を生じさせないようにできる。
【０２０７】
さらに光ディスク装置２０Ｙでは、第１情報光学系２８１及び第２情報光学系２８２を一組とする２組の光ピックアップ２８０Ａ及び２８０Ｂを有するようにすることも可能である。この場合２つの対物レンズ２９１及び２９２から４本の青色光ビームＬｂｉを光ディスク１００に対して照射することができる。
【０２０８】
この場合例えば図２０（Ａ）に示すように、一つのマウント２９０に２つの対物レンズ２９１及び２９２を固定すると共に一つのアクチュエータ２９０Ａ（図示しない）によって駆動するようにすることにより、２つの対物レンズ２９１及び２９２の互いの位置関係を固定し、これら２つの対物レンズ２９１及び２９２を介して赤色光ビームＬｒ１及び全ての青色光ビームＬｂｉを照射する。
【０２０９】
仮に対物レンズ２９１から赤色光ビームＬｒ１及び２本の青色光ビームＬｂｉ１及びＬｂｉ２を照射すると共に、対物レンズ２９２から２本の青色光ビームＬｂｉ３及びＬｂｉ４を照射する場合、対物レンズ２９１及び２９２の中心２９１ｃ中心２９２ｃを例えばガイドトラックＴｇのガイドトラックピッチＰｇの１／２だけずらして配置するようにする。
【０２１０】
これにより図２０（Ｂ）に示すように、光ディスク１００に４つの記録マークＲＭを同時に形成することができ、見かけ上４倍の再生又は記録速度を得ることができる。
【０２１１】
（３−２）動作及び効果
以上の構成によれば、２本の青色光ビームＬｂｉ１及びＬｂｉ２を一つの対物レンズ２９１から照射すると共に、２本の青色光ビームＬｂｉ１及びＬｂｉ２の偏光方向の差異を利用して、当該青色光ビームＬｂｉ１及びＬｂｉ２が反射されてなる当該青色光ビームＬｂｔ１及びＬｂｔ２を分離することにより、２本の青色光ビームＬｂｉ１及びＬｂｉ２の光路を合成及び分離するために偏光ビームスプリッタ２７３を用いることができ、無偏光ビームスプリッタを用いる場合と比較して、２本の青色光ビームＬｂｉ１及びＬｂｉ２の光エネルギーの損失を抑制することができる。
【０２１２】
また互いの位置関係を固定した２つの対物レンズ２９１及び２９２から２本の青色光ビームＬｂｉ１及びＬｂｉ２、並びに２本の青色光ビームＬｂｉ３及びＬｂｉ４をそれぞれ照射することにより、光エネルギーの損失を抑制した状態で４つの記録マークＲＭを同時に形成することができる。
【０２１３】
（４）他の実施の形態
なお上述した第１ないし第３の実施の形態においては、対物レンズ４０の位置制御を行うための光ビーム（これを位置制御光ビームと呼ぶ）を波長約６６０［ｎｍ］の赤色光ビームとし、記録マークＲＭを形成するための光ビーム（これを記録光ビームと呼ぶ）を波長約４０５［ｎｍ］の青色光ビームとするようにした場合について述べたが、本発明はこれに限らず、位置制御光ビーム及び記録光ビームをそれぞれ任意の波長としても良い。
【０２１４】
この場合、反射透過膜１０４としては、位置制御光ビームをその波長に応じて反射し、記録光ビームをその波長に応じて透過する性質を有していればよい。また記録層１０１は、記録光ビームの波長に反応する材料であれば良い。
【０２１５】
また上述した第１ないし第３の実施の形態においては、位置制御光学系３０において非点収差法によりフォーカスエラー信号を生成するようにした場合について述べたが、本発明はこれに限らず、例えばナイフエッジ法やフーコー法等の他の手法によってフォーカスエラー信号を生成するようにしても良い。
【０２１６】
また位置制御光学系３０におけるトラッキングエラー信号の生成についても、プッシュプル法に限らず、３ビーム法や差動プッシュプル法等の他の手法により当該トラッキングエラー信号を生成するようにしても良い。
【０２１７】
これらの場合、各エラー信号の生成手法に応じて、シリンドリカルレンズ４２に代えて回折格子等の光学素子が設けられれば良く、またフォトディテクタ４３については、各エラー信号の生成手法に対応した分割パターンで検出領域が分割されていれば良く、さらに信号処理部２３は、各エラー信号の生成手法に対応した演算処理を行うことにより各エラー信号を生成すれば良い。
【０２１８】
さらに上述した第１ないし第３の実施の形態においては、光ディスク１００及び２００の直径を約１２０［ｍｍ］、記録層１０１の厚さｔ１を約０．３［ｍｍ］、基板１０２及び１０３の厚さｔ２及びｔ３を約０．６［ｍｍ］とするようにした場合について述べたが、本発明はこれに限らず、それぞれ他の値であっても良い。この場合、記録層１０１並びに基板１０２及び１０３の厚さと各材料の屈折率等を考慮した上で、青色光ビームＬｂｉ及びＬｂｔの焦点が目標マーク位置に合わされるよう、各光学部品の光学特性や配置等が設定されていれば良い。
【産業上の利用可能性】
【０２１９】
本発明は、映像データや音楽データ等の種々のデータを光ディスクに記録及び再生する光ディスク装置でも利用できる。
【図面の簡単な説明】
【０２２０】
【図１】光ディスクの外観を示す略線図である。
【図２】光ディスクの構成を示す略線図である。
【図３】記録マークの形成の説明に供する略線図である。
【図４】光ビームの照射の説明に供する略線図である。
【図５】トラックの構造の説明に供する略線図である。
【図６】光情報記録媒体の初期化の説明に供する略線図である。
【図７】光ディスク装置の構成を示す略線図である。
【図８】第１の実施の形態による光ピックアップの構成を示す略線図である。
【図９】第１の実施の形態によるサーボ光の光路の説明に供する略線図である。
【図１０】フォトディテクタにおける検出領域の構成を示す略線図である。
【図１１】第１の実施の形態による情報光学系の光路を示す略線図である。
【図１２】焦点の位置の説明に供する略線図である。
【図１３】光軸の傾きの説明に供する略線図である。
【図１４】ピンホールによる光ビームの選別の説明に供する略線図である。
【図１５】他の実施の形態によるホログラムの記録再生原理の説明に供する略線図である。
【図１６】他の実施の形態による光ビームの分離の説明に供する略線図である。
【図１７】第２の実施の形態によるホログラムの記録再生原理の説明に供する略線図である。
【図１８】第２の実施の形態による光ピックアップの構成を示す略線図である。
【図１９】第３の実施の形態による光ピックアップの構成を示す略線図である。
【図２０】第３の実施の形態による対物レンズと光ビームの照射の説明に供する略線図である。
【符号の説明】
【０２２１】
２０……光ディスク装置、２１……制御部、２２……駆動制御部、２３……信号処理部、２６、２００、２８０……光ピックアップ、３０……サーボ光学系、３１、５１、６１、７１、８１、９１、２５０、１５１、１６１、１７１、１８１、１９１……レーザダイオード、３５、３６、３７、３８、３９……ダイクロイックプリズム、５３、６３、７３、８３、９３……偏光ビームスプリッタ、４０、１４０Ｘ、１４０Ｙ、２９１、２９２……対物レンズ、４０Ａ、１４０ＸＡ、１４０ＹＡ、２９０Ａ……アクチュエータ、５９、６９、７９、８９、９９……フォトディテクタ、５０……第１情報光学系、６０……第２情報光学系、７０……第３情報光学系、８０……第４情報光学系、９０……第５情報光学系、５４、６４、７４、８４、９４……液晶パネル、５６、６６、７６、８６、９６……リレーレンズ、５６Ａ、６６Ａ、７６Ａ、８６Ａ、９６Ａ……可動レンズ、５８／、６８、７８、８８、９８……ピンホール板、１００……光ディスク、１０１、１０１Ｘ……記録層、１０２、１０３……基板、１０４……反射透過膜、Ｌｒ１……赤色光ビーム、Ｌｒ２……赤色光ビーム、Ｌｂｉ、Ｌｂｔ、Ｌｂｉ１、Ｌｂｉ２、Ｌｂｉ３、Ｌｂｉ４、Ｌｂｉ５、Ｌｂｔ１、Ｌｂｔ２、Ｌｂｔ３、Ｌｂｔ４、Ｌｂｔ５……青色光ビーム、Ｆｒ、Ｆｂ１、Ｆｂ２、Ｆｂ３、Ｆｂ４、Ｆｂ５……焦点、ＲＭ、ＲＭ１、ＲＭ２、ＲＭ３、ＲＭ４、ＲＭ５……記録マーク、Ｔｇ……ガイドトラック、Ｔｗ……記録トラック。
【図１】
2008305509.tif 000005
【図２】
2008305509.tif 000006
【図３】
2008305509.tif 000007
【図４】
2008305509.tif 000008
【図５】
2008305509.tif 000009
【図６】
2008305509.tif 000010
【図７】
2008305509.tif 000011
【図８】
2008305509.tif 000012
【図９】
2008305509.tif 000013
【図１０】
2008305509.tif 000014
【図１１】
2008305509.tif 000015
【図１２】
2008305509.tif 000016
【図１３】
2008305509.tif 000017
【図１４】
2008305509.tif 000018
【図１５】
2008305509.tif 000019
【図１６】
2008305509.tif 000020
【図１７】
2008305509.tif 000021
【図１８】
2008305509.tif 000022
【図１９】
2008305509.tif 000023
【図２０】
2008305509.tif 000024